(57)【要約】【課題】発行要求者の顔画像情報に付加された個人識別番号と同一性の無い誤った個人識別番号に係る文字情報や、顔画像情報等の書込みを阻止できるようにすると共に、高信頼度かつ高画像品質のＩＤカード等を提供できるようにする。【解決手段】カード発行要求者の電子情報内容が書込み及び読み出し可能なカード部材３０にカラー顔画像と文字画像とを形成する場合に、ホッパー１１、搬送ベルト装置１２におけるカード部材３０の供給搬送及び、Ｙ，Ｍ，Ｃ，Ｋ色画像形成ユニット１８等における画像形成過程を管理する管理装置９０と、Ｋ色画像形成ユニット１８の下流側に取り付けられて、カード部材３０に対して電子情報内容を記録再生するカードリードライト装置１４とを備え、個人識別番号の一致が検出されて同一性が確認された場合に、当該カード発行要求者の電子情報内容をカード部材３０に記録するようにカードリードライト装置１４を制御するものである。【選択図】        図１
2011255675.tif 000002
【特許請求の範囲】
【請求項１】
カード発行要求者を識別する固有の個人識別情報、その顔画像を撮影して得た顔画像情報及び、その住所及び氏名を入力して得た文字情報を含む電子情報内容に基づいて所定のカード部材にカラー顔画像と文字画像とを形成する装置であって、
前記カード部材を供給搬送するカード供給搬送手段と、
前記カード発行要求者の個人識別情報に付加された顔画像情報を入力し、前記カード供給搬送手段によって供給搬送される前記カード部材に、当該カード発行要求者の顔画像情報に基づいてカラー顔画像を形成する複数のカラー用の画像形成ユニットと、
前記カード発行要求者の個人識別情報に付加された文字情報を入力し、前記画像形成ユニットによってカラー顔画像が形成されたカード部材に、当該カード発行要求者の文字情報に基づいて前記住所及び氏名を含む文字画像を形成する白黒用の画像形成ユニットと、
少なくとも、上位のホストコンピュータから前記カード発行要求者の電子情報内容を順次入力し、当該カード発行要求者の電子情報内容に基づいて前記カラー用の画像形成ユニットに当該個人識別情報に付加された顔画像情報をセットすると共に、前記白黒用の画像形成ユニットに当該個人識別情報に付加された文字情報をセットする制御手段と、
前記制御手段によって前記カラー用及び白黒用の画像形成ユニットにセットされる前記個人識別情報、顔画像情報及び文字情報のセット状態を前記カード発行要求者毎に記述する複数のバッファテーブルと、
前記制御手段によって複数の前記カード発行要求者の電子情報内容の中から順次抽出され、前記カード発行要求者毎に来歴管理される個人識別情報を記述するカード作成来歴管理テーブルと、
前記バッファテーブル及びカード作成来歴管理テーブルに関して前記カード発行要求者の個人識別情報を前記カード供給搬送手段、カラー用及び白黒用の画像形成ユニット毎に管理する画像形成管理テーブルと、
前記白黒用の画像形成ユニットの下流側に取り付けられて、前記カード部材に対して前記電子情報内容を記録再生する記録再生装置とを備え、
前記制御手段は、
前記カード供給搬送手段におけるカード部材の供給搬送において、前記カード作成来歴管理テーブルに記述された前記カード発行要求者の個人識別情報と、前記バッファテーブルに記述された前記カード発行要求者の個人識別情報とを前記画像形成管理テーブルに設定し、前記画像形成管理テーブルに設定された前記カード発行要求者の来歴を管理する個人識別情報と、当該カード発行要求者の電子情報内容に基づく前記個人識別情報とを比較し、当該個人識別情報の一致を検出して同一性を確認し、当該個人識別情報の同一性が確認された場合に、前記カード部材を供給搬送するように前記カード供給搬送手段を制御し、
前記カラー用の画像形成ユニットにおける画像形成過程において、前記カード作成来歴管理テーブルに記述された前記カード発行要求者の個人識別情報と、前記バッファテーブルに記述された前記カード発行要求者の個人識別情報とを前記画像形成管理テーブルに設定し、前記画像形成管理テーブルに設定された前記カード発行要求者の来歴を管理する個人識別情報と、当該カード発行要求者の電子情報内容に基づく前記個人識別情報とを比較し、当該個人識別情報の一致を検出して同一性を確認し、当該個人識別情報の同一性が確認された場合に、前記カード部材に前記カラー顔画像を形成するように前記カラー用の画像形成ユニットを制御し、
前記白黒用の画像形成ユニットにおける画像形成過程において、前記カード作成来歴管理テーブルに記述された前記カード発行要求者の個人識別情報と、前記バッファテーブルに記述された前記カード発行要求者の個人識別情報とを前記画像形成管理テーブルに設定し、前記画像形成管理テーブルに設定された前記カード発行要求者の来歴を管理する個人識別情報と、当該カード発行要求者の電子情報内容に基づく前記個人識別情報とを比較し、当該個人識別情報の一致を検出して同一性を確認し、当該個人識別情報の同一性が確認された場合に、前記カード発行要求者のカラー顔画像が形成された後の前記カード部材に、当該カード発行要求者の文字画像を形成するように前記白黒用の画像形成ユニットを制御し、
前記記録再生装置における記録再生において、前記カード作成来歴管理テーブルに記述された前記カード発行要求者の個人識別情報と、前記バッファテーブルに記述された前記カード発行要求者の個人識別情報とを前記画像形成管理テーブルに設定し、前記画像形成管理テーブルに設定された前記カード発行要求者の来歴を管理する個人識別情報と、当該カード発行要求者の電子情報内容に基づく前記個人識別情報とを比較し、当該個人識別情報の一致を検出して同一性を確認し、当該個人識別情報の同一性が確認された場合に、当該カード発行要求者の個人識別情報、顔画像情報及び個人情報を前記カード部材に記録するように前記記録再生装置を制御することを特徴とするカード作成装置。
【請求項２】
前記制御手段は、
当該カード発行要求者の個人識別情報を管理するバッファテーブルの番号をバッファテーブル番号とし、当該カード発行要求者の個人識別情報を含む作成来歴を管理するカード作成来歴管理テーブルの番号をカード作成来歴管理テーブル番号としたとき、
前記バッファテーブル番号及びカード作成来歴管理テーブル番号を前記画像形成管理テーブルにセットし、
前記バッファテーブルによって管理される当該発行要求者の個人識別情報と、前記カード作成来歴管理テーブルによって管理される当該発行要求者の個人識別情報とを比較し、該比較結果に基づいて前記カード供給搬送手段、カラー用及び白黒用の画像形成ユニットを制御することを特徴とする請求項１に記載のカード作成装置。
【請求項３】
前記制御手段によって制御される前記画像形成管理テーブルには、
当該カード発行要求者に関する前記バッファテーブル番号及び前記カード作成来歴管理テーブル番号を記述する欄と、
前記バッファテーブル番号及び前記カード作成来歴管理テーブル番号に対応して前記カード供給搬送手段を制御するホッパーステージ、前記カラー用の画像形成ユニットを制御するＹステージ、Ｍステージ及びＣステージ、白黒用の画像形成ユニットを制御するＫステージを記述する欄が設けられることを特徴とする請求項２に記載のカード作成装置。
【請求項４】
前記画像形成管理テーブルに記録再生装置を制御するＲ／Ｗステージを設け、
前記制御手段は、
前記画像形成管理テーブルにおいて、前記ＫステージからＲ／Ｗステージへ前記バッファテーブル番号及びカード作成来歴管理テーブル番号をシフトすると共に、前記Ｒ／Ｗステージにおける前記バッファテーブル番号によって管理される当該カード発行要求者の個人識別情報と、前記カード作成来歴管理テーブル番号によって管理される当該カード発行要求者の個人識別情報とを比較し、
両方の前記個人識別情報の一致を検出した後、当該カード発行要求者の個人識別情報、顔画像情報及び個人情報をカード部材に記録するように前記記録再生装置を制御することを特徴とする請求項３に記載のカード形成装置。
【請求項５】
前記カード部材は、
基板用の部材と、
当該カード発行要求者の顔画像が熱転写される受像層を有した表面用の部材と、
前記基板用の部材と前記表面用の部材との間に電子部品を有する電子カードであって、
前記電子部品は、
前記制御手段が前記画像形成管理テーブルに基づいて制御可能な電子情報内容を記憶するＩＣチップ及び該ＩＣチップに接続されたコイル状のアンテナ体であることを特徴とする請求項４に記載のカード作成装置。
【請求項６】
カード発行要求者を識別する固有の個人識別情報、その顔画像を撮影して得た顔画像情報及び、その住所及び氏名を入力して得た文字情報を含む電子情報内容が書込み及び読み出し可能なカード部材にカラー顔画像と文字画像とを形成する装置であって、
前記カード発行要求者の個人識別情報の設定に対応して前記カード部材を供給搬送するカード供給搬送手段と、
前記カート発行要求者の個人識別情報及び顔画像情報を入力し、前記カード供給搬送手段によって供給搬送される前記カード部材に、前記個人識別情報に付加された前記顔画像情報に基づいてカラー顔画像を形成する複数のカラー用の画像形成ユニットと、
前記カート発行要求者の個人識別情報及び文字情報を入力し、前記画像形成ユニットによってカラー顔画像を形成されたカード部材に、前記個人識別情報に付加された前記文字情報に基づいて前記住所及び氏名を含む文字画像を形成する白黒用の画像形成ユニットと、
少なくとも、前記カード供給搬送手段に前記カード発行要求者の個人識別情報を設定し、
前記カラー用の画像形成ユニットに前記カード発行要求者の個人識別情報及び顔画像情報を設定し、前記白黒用の画像形成ユニットに前記カード発行要求者の個人識別情報及び文字情報を設定すると共に、該カード供給搬送手段に設定された個人識別情報を前記カラー用の画像形成ユニットへ受け渡し、
前記カラー用の画像形成ユニットに設定された前記個人識別情報と、前記カード供給搬送手段から受け渡された個人識別情報とを比較した結果に基づいて前記カード部材に前記カラー顔画像を形成し、前記カラー用の画像形成ユニットから前記白黒用の画像形成ユニットへ前記個人識別情報を受け渡し、
前記白黒用の画像形成ユニットに設定された前記個人識別情報と、前記カラー画像形成ユニットから受け渡された前記個人識別情報とを比較した結果に基づいて前記カード部材に前記文字画像を形成するように前記カード供給搬送手段、前記カラー用及び白黒用の画像形成ユニットをリレー制御する制御装置と、
前記白黒用の画像形成ユニットの下流側に取り付けられ、前記カート発行要求者の個人識別情報の設定に対応して前記カード部材に前記電子情報内容を記録再生する記録再生装置とを備え、
前記制御装置は、前記記録再生装置に設置した前記カート発行要求者の個人識別情報と、前記白黒用の画像形成ユニットから受け渡された前記個人識別情報とを比較して一致検出を実行し、前記個人識別情報の一致が検出されて同一性が確認された場合に、当該カード発行要求者の個人識別情報、顔画像情報及び個人情報を前記カード部材に記録するように前記記録再生装置を制御することを特徴とするカード作成装置。
【請求項７】
前記制御装置によるリレー制御では、
前記制御装置によって当該カード発行要求者の個人識別情報がカード供給搬送手段に設定されると、
前記カード供給搬送手段からカラー用の画像形成ユニットへ前記カード部材を供給搬送すると共に、前記個人識別情報がカラー用の画像形成ユニットへ受け渡され、
前記カラー用の画像形成ユニットでは前記制御装置から設定される個人識別情報と、前記カード供給搬送手段から受け取った個人識別情報とを比較し、該比較結果に基づいて両方の個人識別情報の一致が検出されると、前記カード部材に当該個人識別情報に係る顔画像情報に基づいてカラー顔画像を形成し、前記カラー用の画像形成ユニットによるカラー顔画像形成が終了すると、前記個人識別情報が白黒用の画像形成ユニットへ受け渡され、
前記白黒用の画像形成ユニットでは前記制御装置から設定される個人識別情報と、前記カラー用の画像形成ユニットから受け取った個人識別情報とを比較し、該比較結果に基づいて両方の個人識別情報の一致が検出されると、前記カード部材に当該個人識別情報に係る文字情報に基づいて文字画像を形成することを特徴とする請求項６に記載のカード作成装置。
【請求項８】
前記制御装置によるリレー制御において、
前記白黒用の画像形成ユニットによる文字画像形成が終了すると、前記個人識別情報が記録再生装置へ受け渡され、
前記記録再生装置では前記制御装置から設定される個人識別情報と、前記白黒用の画像形成ユニットから受け取った個人識別情報とを比較し、該比較結果に基づいて両方の個人識別情報の一致を検出した後に、前記カード部材内に当該カード発行要求者に係る個人識別情報、顔画像情報及び個人情報を記録するようになされることを特徴とする請求項７に記載のカード形成装置。
【請求項９】
前記制御装置によるリレー制御によって顔画像が形成されるカード部材は、
基板用の部材と、
当該発行要求者の顔画像が熱転写される受像層を有した表面用の部材と、
前記基板用の部材と前記表面用の部材との間に電子部品を有する電子カードであって、
前記電子部品は、
前記記録再生装置によって記録再生が可能な電子情報内容を記憶するＩＣチップ及び該ＩＣチップに接続されたコイル状のアンテナ体であることを特徴とする請求項８に記載のカード作成装置。
【発明の詳細な説明】
【技術分野】
【０００１】
この発明は顔画像の入った、キャッシュカード、会員証、社員証、従業者証、学生証、外国人登録証及び各種運転免許証などのＩＤカードの自動発行システムに適用して好適なカード作成装置に関するものである。
【背景技術】
【０００２】
近年、顔写真の入ったキャッシュカード、従業者証、社員証、会員証、学生証、外国人登録証、パスポート、図書館利用カード及び各種運転免許証などのＩＤカード発行システムが使用される場合が多くなってきた。例えば、従業者数の多い企業では従業者証発行システムが採用される場合が多い。このシステムでは、本社にホストコンピュータが設けられ、そのコンピュータには支社に配属された従業者の個人情報が登録されている。
【０００３】
ここで、個人情報とは氏名、住所、生年月日、従業者証の交付年月日及びその有効期限等をいう。個人情報は文字画像としてカード部材に形成されるものである。支社で例えば従業者証の満期を迎えた者が、その更新を要求する場合に、その者が本社又は支社において、本社のコンピュータにその従業者の個人情報が照会され、本社で照会の結果、その従業者が本社に登録された者であることが確認されると、本社で従業者証を発行するようになされる。更新対象者が多くなると、従業者証発行処理も流れ作業化される場合が多い。
【０００４】
この際の従業者証発行処理に関してはカード部材に形成される発行要求者の顔画像と、その発行要求者の個人情報とが１：１に対応していなければならない。この種の従業者証発行処理に関して特許文献１にはＩＤカード作成システムが開示されている。
【０００５】
このシステムによれば、まず、個人識別番号ＩＤを含む文字画像をカード部材に印刷し、その後、カード部材上の個人識別番号ＩＤを文字認識機能（ＯＣＲ）付きのスキャナにより読取り、ここで読み取られた個人識別番号ＩＤと、顔画像情報に付加された個人識別番号ＩＤとの一致検出をし、その後、これらが一致することを確認された場合に、顔画像をカード部材に印刷するようになされる。
【０００６】
近年では画像形成技術の発達に伴い、発行要求者の顔画像は電子写真方式によりカラー画像によってカード部材に形成する場合が多くなってきた。図２８は従来例に係るカラー用の従業者証プリンタ１０の構成例を示す主要部のブロック図である。
【０００７】
図２８に示すタンデム方式の従業者証プリンタ１０では先に顔画像が従業者証用のカード部材３０（以下で従業者証３０ともいう）に形成された後に文字画像が形成される。つまり、ホッパー１からカード部材３０が排出されると、そのカード部材３０がホッパー１からＹ色画像形成ユニット５へ搬送される。その後、Ｙ色画像形成ユニット５では発行要求者のイエロー色の顔画像がカード部材３０に形成される。そして、Ｙ色顔画像形成後のカード部材３０がＹ色画像形成ユニット５からＭ色画像形成ユニット６へ搬送される。
【０００８】
その後、Ｍ色画像形成ユニット６では発行要求者のマゼンタ色の顔画像がカード部材３０に重ねて形成される。そして、Ｙ及びＭ色顔画像形成後のカード部材３０がＭ色画像形成ユニット６からＣ色画像形成ユニット７へ搬送される。Ｃ色画像形成ユニット７では発行要求者のシアン色の顔画像がカード部材３０に重ねて形成される。そして、Ｙ、Ｍ及びＣ色顔画像形成後のカード部材３０がＣ色画像形成ユニット７からＫ色画像形成ユニット８へ搬送される。Ｋ色画像形成ユニット８では発行要求者の氏名、住所、生年月日等の文字画像がカード部材３０に形成される。これにより、カラーの顔画像入り、個人情報記録済みの従業者証が完成する。
【０００９】
ところで、従業者証プリンタ１０によれば、Ｙ色画像形成ユニット５、Ｍ色画像形成ユニット６、Ｃ色画像形成ユニット７及びＫ色画像形成ユニット８について、画像形成処理の高速処理を図るために、例えば６画面分のバッファメモリ＃１〜＃６が準備される。これらのバッファメモリ＃１部〜＃６にはＹ色顔画像情報Ｄ１（Ｙ）、Ｍ色顔画像情報Ｄ１（Ｍ）、Ｃ色顔画像情報Ｄ１（Ｃ）及び黒用の文字情報Ｄ２を順次上書き格納するようになされる。
【００１０】
図２９に示すバッファメモリ＃１〜＃６の内容例によれば、バッファメモリ＃１に発行要求者（丸付き数字１）の個人識別番号ＩＤ、顔画像情報Ｄ１及び文字情報Ｄ２を格納しているときは、そのカード部材３０の状態はＫ色画像形成ユニット８による文字画像の印字中を示すものとなる。同様にして、バッファメモリ＃２に発行要求者（丸付き数字２）の個人識別番号ＩＤ、顔画像情報Ｄ１及び文字情報Ｄ２を格納しているときは、そのカード部材３０の状態はＣ色画像形成ユニット７によるＣ色顔画像の印画中を示すものとなる。
【００１１】
また、バッファメモリ＃３に発行要求者（丸付き数字３）の個人識別番号ＩＤ、顔画像情報Ｄ１及び文字情報Ｄ２を格納しているときは、そのカード部材３０の状態はＭ色画像形成ユニット６によるＭ色顔画像の印画中を示すものとなる。バッファメモリ＃４に発行要求者（丸付き数字４）の個人識別番号ＩＤ、顔画像情報Ｄ１及び文字情報Ｄ２を格納しているときは、そのカード部材３０の状態はＹ色画像形成ユニット５によるＹ色顔画像の印画中を示すものとなる。
【００１２】
更に、バッファメモリ＃５に発行要求者（丸付き数字５）の個人識別番号ＩＤ、顔画像情報Ｄ１及び文字情報Ｄ２を格納しているときは、そのカード部材３０の状態は印画待機中を示すものとなる。バッファメモリ＃６に発行要求者（丸付き数字６）の個人識別番号ＩＤ、顔画像情報Ｄ１及び文字情報Ｄ２を格納しているときは、そのカード部材３０の状態はホッパー１における排出待機中を示すものとなる。
【００１３】
この図３０に示した発行要求者（丸付き数字１）に係るカード部材３０による従業者証が作成完了すると、図３０に示すバッファメモリ＃１は「空」となり、発行要求者（丸付き数字２）〜（丸付き数字６）に係るカード部材３０の状態は、図３０に示すようにＫ色画像形成ユニット８による文字画像の印字中、Ｃ色画像形成ユニット７によるＣ色顔画像の印画中、Ｍ色画像形成ユニット６によるＭ色顔画像の印画中、Ｙ色画像形成ユニット５によるＹ色顔画像の印画中及び印画待機中というように情報を各々シフトするように管理される。
【先行技術文献】
【特許文献】
【００１４】
【特許文献１】特開平５−１６２４９０号公報
【発明の概要】
【発明が解決しようとする課題】
【００１５】
しかしながら、従来方式のバッファメモリ＃１〜＃６を適用した従業者証プリンタ１０によれば、Ｙ色顔画像情報Ｄ１（Ｙ）、Ｍ色顔画像情報Ｄ１（Ｍ）、Ｃ色顔画像情報Ｄ１（Ｃ）及び黒色用の文字情報Ｄ２を順次上書き格納するようになされる。
【００１６】
このため、図３１に示すように例えば、バッファメモリ＃４には本来、発行要求者（丸付き数字４）の個人識別番号ＩＤ、顔画像情報Ｄ１及び文字情報Ｄ２を格納すべきところ、何らかの原因で発行要求者（丸付き数字３）の個人識別番号ＩＤ、顔画像情報Ｄ１及び文字情報Ｄ２が重複して格納されてしまい、以後、当該発行要求者の個人識別番号ＩＤ、顔画像情報Ｄ１及び文字情報Ｄ２を格納すべきバッファメモリがずれてしまうおそれがある。
【００１７】
従って、当該発行要求者の顔画像情報に付加された個人識別番号ＩＤと同一性の無い誤った個人識別番号ＩＤに係る文字情報がバッファメモリにセットされてしまうことから、本人の顔画像と異なる個人情報が記録されたＩＤカードが作成されてしまうという問題がある。
【００１８】
そこで、この発明は上述した課題を解決したものであって、ＩＤカードを作成する場合に、カード発行要求者の顔画像情報に付加された個人識別情報と同一性の無い誤った個人識別情報に係る文字情報や、顔画像情報等の書込みを阻止できるようにすると共に、高信頼度かつ高画像品質のＩＤカード等を提供できるようにしたカード作成装置を提供することを目的とする。
【課題を解決するための手段】
【００１９】
上記課題を解決するために、本発明に係る第１のカード作成装置はカード発行要求者を識別する固有の個人識別情報、その顔画像を撮影して得た顔画像情報及び、その住所及び氏名を入力して得た文字情報を含む電子情報内容に基づいて所定のカード部材にカラー顔画像と文字画像とを形成する装置であって、前記カード部材を供給搬送するカード供給搬送手段と、前記カード発行要求者の個人識別情報に付加された顔画像情報を入力し、前記カード供給搬送手段によって供給搬送される前記カード部材に、当該カード発行要求者の顔画像情報に基づいてカラー顔画像を形成する複数のカラー用の画像形成ユニットと、前記カード発行要求者の個人識別情報に付加された文字情報を入力し、前記画像形成ユニットによってカラー顔画像が形成されたカード部材に、当該カード発行要求者の文字情報に基づいて前記住所及び氏名を含む文字画像を形成する白黒用の画像形成ユニットと、少なくとも、上位のホストコンピュータから前記カード発行要求者の電子情報内容を順次入力し、当該カード発行要求者の電子情報内容に基づいて前記カラー用の画像形成ユニットに当該個人識別情報に付加された顔画像情報をセットすると共に、前記白黒用の画像形成ユニットに当該個人識別情報に付加された文字情報をセットする制御手段と、前記制御手段によって前記カラー用及び白黒用の画像形成ユニットにセットされる前記個人識別情報、顔画像情報及び文字情報のセット状態を前記カード発行要求者毎に記述する複数のバッファテーブルと、前記制御手段によって複数の前記カード発行要求者の電子情報内容の中から順次抽出され、前記カード発行要求者毎に来歴管理される個人識別情報を記述するカード作成来歴管理テーブルと、前記バッファテーブル及びカード作成来歴管理テーブルに関して前記カード発行要求者の個人識別情報を前記カード供給搬送手段、カラー用及び白黒用の画像形成ユニット毎に管理する画像形成管理テーブルと、前記白黒用の画像形成ユニットの下流側に取り付けられて、前記カード部材に対して前記電子情報内容を記録再生する記録再生装置とを備え、前記制御手段は、前記カード供給搬送手段におけるカード部材の供給搬送において、前記カード作成来歴管理テーブルに記述された前記カード発行要求者の個人識別情報と、前記バッファテーブルに記述された前記カード発行要求者の個人識別情報とを前記画像形成管理テーブルに設定し、前記画像形成管理テーブルに設定された前記カード発行要求者の来歴を管理する個人識別情報と、当該カード発行要求者の電子情報内容に基づく前記個人識別情報とを比較し、当該個人識別情報の一致を検出して同一性を確認し、当該個人識別情報の同一性が確認された場合に、前記カード部材を供給搬送するように前記カード供給搬送手段を制御し、前記カラー用の画像形成ユニットにおける画像形成過程において、前記カード作成来歴管理テーブルに記述された前記カード発行要求者の個人識別情報と、前記バッファテーブルに記述された前記カード発行要求者の個人識別情報とを前記画像形成管理テーブルに設定し、前記画像形成管理テーブルに設定された前記カード発行要求者の来歴を管理する個人識別情報と、当該カード発行要求者の電子情報内容に基づく前記個人識別情報とを比較し、当該個人識別情報の一致を検出して同一性を確認し、当該個人識別情報の同一性が確認された場合に、前記カード部材に前記カラー顔画像を形成するように前記カラー用の画像形成ユニットを制御し、前記白黒用の画像形成ユニットにおける画像形成過程において、前記カード作成来歴管理テーブルに記述された前記カード発行要求者の個人識別情報と、前記バッファテーブルに記述された前記カード発行要求者の個人識別情報とを前記画像形成管理テーブルに設定し、前記画像形成管理テーブルに設定された前記カード発行要求者の来歴を管理する個人識別情報と、当該カード発行要求者の電子情報内容に基づく前記個人識別情報とを比較し、当該個人識別情報の一致を検出して同一性を確認し、当該個人識別情報の同一性が確認された場合に、前記カード発行要求者のカラー顔画像が形成された後の前記カード部材に、当該カード発行要求者の文字画像を形成するように前記白黒用の画像形成ユニットを制御し、前記記録再生装置における記録再生において、前記カード作成来歴管理テーブルに記述された前記カード発行要求者の個人識別情報と、前記バッファテーブルに記述された前記カード発行要求者の個人識別情報とを前記画像形成管理テーブルに設定し、前記画像形成管理テーブルに設定された前記カード発行要求者の来歴を管理する個人識別情報と、当該カード発行要求者の電子情報内容に基づく前記個人識別情報とを比較し、当該個人識別情報の一致を検出して同一性を確認し、当該個人識別情報の同一性が確認された場合に、当該カード発行要求者の個人識別情報、顔画像情報及び個人情報を前記カード部材に記録するように前記記録再生装置を制御することを特徴とするものである。
【００２０】
本発明に係る第１のカード作成装置によれば、カード発行要求者を識別する固有の個人識別情報、その顔画像を撮影して得た顔画像情報及び、その住所及び氏名を入力して得た文字情報を含む電子情報内容が書込み及び読み出し可能なカード部材にカラー顔画像と文字画像とを形成する場合に、カード供給搬送手段がカード部材を供給搬送すると、複数のカラー用の画像形成ユニットでは、カード発行要求者の個人識別情報に付加された顔画像情報が入力され、カード供給搬送手段によって供給搬送されるカード部材に、当該カード発行要求者の顔画像情報に基づいてカラー顔画像が形成される。白黒用の画像形成ユニットでは、カード発行要求者の個人識別情報に付加された文字情報が入力され、画像形成ユニットによってカラー顔画像が形成されたカード部材に、当該カード発行要求者の文字情報に基づいて住所及び氏名を含む文字画像が形成される。制御手段は、少なくとも、上位のホストコンピュータからカード発行要求者の電子情報内容を順次入力し、当該カード発行要求者の電子情報内容に基づいてカラー用の画像形成ユニットに当該個人識別情報に付加された顔画像情報をセットすると共に、白黒用の画像形成ユニットに当該個人識別情報に付加された文字情報をセットする。複数のバッファテーブルには、制御手段によってカラー用及び白黒用の画像形成ユニットにセットされる個人識別情報、顔画像情報及び文字情報のセット状態がカード発行要求者毎に記述される。カード作成来歴管理テーブルには、制御手段によって複数のカード発行要求者の電子情報内容の中から順次抽出され、カード発行要求者毎に来歴管理される個人識別情報が記述される。画像形成管理テーブルでは、バッファテーブル及びカード作成来歴管理テーブルに関してカード発行要求者の個人識別情報がカード供給搬送手段、カラー用及び白黒用の画像形成ユニット毎に管理される。記録再生装置は、白黒用の画像形成ユニットの下流側に取り付けられて、カード部材に対して電子情報内容を記録再生する。制御手段は、カード供給搬送手段におけるカード部材の供給搬送において、カード作成来歴管理テーブルに記述されたカード発行要求者の個人識別情報と、バッファテーブルに記述されたカード発行要求者の個人識別情報とを画像形成管理テーブルに設定し、画像形成管理テーブルに設定されたカード発行要求者の来歴を管理する個人識別情報と、当該カード発行要求者の電子情報内容に基づく個人識別情報とを比較し、当該個人識別情報の一致を検出して同一性を確認し、当該個人識別情報の同一性が確認された場合に、カード部材を供給搬送するようにカード供給搬送手段を制御する。制御手段は、カラー用の画像形成ユニットにおける画像形成過程において、カード作成来歴管理テーブルに記述されたカード発行要求者の個人識別情報と、バッファテーブルに記述されたカード発行要求者の個人識別情報とを画像形成管理テーブルに設定し、画像形成管理テーブルに設定されたカード発行要求者の来歴を管理する個人識別情報と、当該カード発行要求者の電子情報内容に基づく個人識別情報とを比較し、当該個人識別情報の一致を検出して同一性を確認し、当該個人識別情報の同一性が確認された場合に、カード部材にカラー顔画像を形成するようにカラー用の画像形成ユニットを制御する。制御手段は、白黒用の画像形成ユニットにおける画像形成過程において、カード作成来歴管理テーブルに記述されたカード発行要求者の個人識別情報と、バッファテーブルに記述されたカード発行要求者の個人識別情報とを画像形成管理テーブルに設定し、画像形成管理テーブルに設定されたカード発行要求者の来歴を管理する個人識別情報と、当該カード発行要求者の電子情報内容に基づく個人識別情報とを比較し、当該個人識別情報の一致を検出して同一性を確認し、当該個人識別情報の同一性が確認された場合に、カード発行要求者のカラー顔画像が形成された後のカード部材に、当該カード発行要求者の文字画像を形成するように白黒用の画像形成ユニットを制御する。これらを前提にして、制御手段は記録再生装置における記録再生において、カード作成来歴管理テーブルに記述されたカード発行要求者の個人識別情報と、バッファテーブルに記述されたカード発行要求者の個人識別情報とを画像形成管理テーブルに設定し、画像形成管理テーブルに設定されたカード発行要求者の来歴を管理する個人識別情報と、当該カード発行要求者の電子情報内容に基づく個人識別情報とを比較し、当該個人識別情報の一致を検出して同一性を確認し、当該個人識別情報の同一性が確認された場合に、当該カード発行要求者の個人識別情報、顔画像情報及び個人情報をカード部材に記録するように録再生装置を制御するようになる。
【００２１】
従って、当該顔画像情報及び文字情報に付加された個人識別情報と同一性の無い誤った個人識別情報に係る電子情報内容による書込みを阻止できるので、当該個人識別情報によりカラー顔画像及び文字画像が形成されたカード部材に、この個人識別情報と同一性の無い異なった個人識別情報に係る電子情報内容によるデータ記録を無くすことができる。これにより、本人の顔画像が形成されたカード部材に他人の氏名や住所等が記録される事態を無くすことができる。高信頼度かつ高画像品質のＩＤカード等を提供することができる。
【００２２】
本発明に係る第２のカード作成装置は  カード発行要求者を識別する固有の個人識別情報、その顔画像を撮影して得た顔画像情報及び、その住所及び氏名を入力して得た文字情報を含む電子情報内容が書込み及び読み出し可能なカード部材にカラー顔画像と文字画像とを形成する装置であって、前記カード発行要求者の個人識別情報の設定に対応して前記カード部材を供給搬送するカード供給搬送手段と、前記カート発行要求者の個人識別情報及び顔画像情報を入力し、前記カード供給搬送手段によって供給搬送される前記カード部材に、前記個人識別情報に付加された前記顔画像情報に基づいてカラー顔画像を形成する複数のカラー用の画像形成ユニットと、前記カート発行要求者の個人識別情報及び文字情報を入力し、前記画像形成ユニットによってカラー顔画像を形成されたカード部材に、前記個人識別情報に付加された前記文字情報に基づいて前記住所及び氏名を含む文字画像を形成する白黒用の画像形成ユニットと、少なくとも、前記カード供給搬送手段に前記カード発行要求者の個人識別情報を設定し、前記カラー用の画像形成ユニットに前記カード発行要求者の個人識別情報及び顔画像情報を設定し、前記白黒用の画像形成ユニットに前記カード発行要求者の個人識別情報及び文字情報を設定すると共に、該カード供給搬送手段に設定された個人識別情報を前記カラー用の画像形成ユニットへ受け渡し、前記カラー用の画像形成ユニットに設定された前記個人識別情報と、前記カード供給搬送手段から受け渡された個人識別情報とを比較した結果に基づいて前記カード部材に前記カラー顔画像を形成し、前記カラー用の画像形成ユニットから前記白黒用の画像形成ユニットへ前記個人識別情報を受け渡し、前記白黒用の画像形成ユニットに設定された前記個人識別情報と、前記カラー画像形成ユニットから受け渡された前記個人識別情報とを比較した結果に基づいて前記カード部材に前記文字画像を形成するように前記カード供給搬送手段、前記カラー用及び白黒用の画像形成ユニットをリレー制御する制御装置と、前記白黒用の画像形成ユニットの下流側に取り付けられ、前記カート発行要求者の個人識別情報の設定に対応して前記カード部材に前記電子情報内容を記録再生する記録再生装置とを備え、前記制御装置は、前記記録再生装置に設置した前記カート発行要求者の個人識別情報と、前記白黒用の画像形成ユニットから受け渡された前記個人識別情報とを比較して一致検出を実行し、前記個人識別情報の一致が検出されて同一性が確認された場合に、当該カード発行要求者の個人識別情報、顔画像情報及び個人情報を前記カード部材に記録するように前記記録再生装置を制御することを特徴とするものである。
【００２３】
本発明に係る第２のカード作成装置によれば、カード発行要求者の個人識別情報を付加した顔画像情報及び文字情報に基づいて所定のカード部材にカラー顔画像及び文字画像を形成する場合に、制御装置では当該カード発行要求者の個人識別情報をカード供給搬送手段に設定すると共に、ここで設定された個人識別情報を比較基準値としてリレー制御が実行される。
【００２４】
このリレー制御では、制御装置が、少なくとも、カード供給搬送手段にカード発行要求者の個人識別情報を設定し、カラー用の画像形成ユニットにカード発行要求者の個人識別情報及び顔画像情報を設定し、白黒用の画像形成ユニットにカード発行要求者の個人識別情報及び文字情報を設定する。制御装置は、当該カード供給搬送手段に設定した個人識別情報をカラー用の画像形成ユニットへ受け渡すようにカード供給搬送手段を制御する。制御装置は、カラー用の画像形成ユニットに設定した個人識別情報と、カード供給搬送手段から受け渡された個人識別情報とを比較した結果に基づいてカード部材にカラー顔画像を形成するようにカラー用の画像形成ユニットを制御する。制御装置は、当該カラー用の画像形成ユニットから白黒用の画像形成ユニットへ個人識別情報を受け渡すようにカラー用の画像形成ユニットを制御する。制御装置は、当該白黒用の画像形成ユニットに設定した個人識別情報と、カラー画像形成ユニットから受け渡された個人識別情報とを比較した結果に基づいてカード部材に文字画像を形成するように白黒用の画像形成ユニットを制御するようになる。
【００２５】
記録再生装置は白黒用の画像形成ユニットの下流側に取り付けられ、カート発行要求者の個人識別情報の設定に対応してカード部材に電子情報内容を記録再生する。これらを前提にして、制御装置が、記録再生装置に設置したカート発行要求者の個人識別情報と、白黒用の画像形成ユニットから受け渡された個人識別情報とを比較して一致検出を実行し、個人識別情報の一致が検出されて同一性が確認された場合に、当該カード発行要求者の個人識別情報、顔画像情報及び個人情報をカード部材に記録するように記録再生装置を制御するようになる。
【００２６】
従って、当該顔画像情報及び文字情報に付加された個人識別情報と同一性の無い誤った個人識別情報に係る電子情報内容による書込みを阻止できるので、当該個人識別情報によりカラー顔画像及び文字画像が形成されたカード部材に、この個人識別情報と同一性の無い異なった個人識別情報に係る電子情報内容によるデータ記録を無くすことができる。これにより、本人の顔画像が形成されたカード部材に他人の氏名や住所等が記録される事態を無くすことができる。高信頼度かつ高画像品質のＩＤカード等を提供することができる。
【発明の効果】
【００２７】
以上説明したように、本発明に係る第１のカード作成装置によれば、カード発行要求者の個人識別情報を付加した顔画像情報及び文字情報を含む電子情報内容が書込み及び読み出し可能なカード部材に、カラー顔画像及び文字画像を形成する場合に、白黒用の画像形成ユニットの下流側に記録再生装置が取り付けられ、カード部材に対して電子情報内容を記録する際に、制御手段が個人識別情報の一致が検出されて同一性が確認された場合に、当該カード発行要求者の個人識別情報、顔画像情報及び個人情報をカード部材に記録するように記録再生装置を制御するものである。
【００２８】
この構成によって、当該顔画像情報及び文字情報に付加された個人識別情報と同一性の無い誤った個人識別情報に係る電子情報内容による書込みを阻止できるので、当該個人識別情報によりカラー顔画像及び文字画像が形成されたカード部材に、この個人識別情報と同一性の無い異なった個人識別情報に係る電子情報内容によるデータ記録を無くすことができる。これにより、本人の顔画像が形成されたカード部材に他人の氏名や住所等が記録される事態を無くすことができ、高信頼度かつ高画像品質のＩＤカード等を提供することができる。
【００２９】
本発明に係る第２のカード作成装置によれば、カード発行要求者の個人識別情報を付加した顔画像情報及び文字情報を含む電子情報内容が書込み及び読み出し可能なカード部材にカラー顔画像と文字画像とを形成する場合に、白黒用の画像形成ユニットの下流側に記録再生装置が取り付けられ、当該カード発行要求者の個人識別情報をカード供給搬送手段に設定すると共に、ここで設定された個人識別情報を比較基準値としてカラー用の画像形成ユニットから白黒用の画像形成ユニットへ順次受け渡すようなリレー制御を実行した後、制御装置が個人識別情報の一致が検出されて同一性が確認された場合に、当該カード発行要求者の個人識別情報、顔画像情報及び個人情報をカード部材に記録するように記録再生装置を制御するものである。この構成によって、カラー用の画像形成ユニットにおいて、個人識別情報の同一性を確認した後に顔画像を形成すること、及び、白黒用の画像形成ユニットにおいて、個人識別情報の同一性を確認した後に文字画像を形成することができる。記録再生装置において、個人識別情報の同一性を確認した後に電子情報内容を記録できるようになる。
【００３０】
従って、当該顔画像情報及び文字情報に付加された個人識別情報と同一性の無い誤った個人識別情報に係る電子情報内容による書込みを阻止できるので、当該個人識別情報によりカラー顔画像及び文字画像が形成されたカード部材に、この個人識別情報と同一性の無い異なった個人識別情報に係る電子情報内容によるデータ記録を無くすことができる。これにより、本人の顔画像が形成されたカード部材に他人の氏名や住所等が記録される事態を無くすことができ、高信頼度かつ高画像品質のＩＤカード等を提供することができる。
【図面の簡単な説明】
【００３１】
【図１】本発明の第１の実施形態としてのカード作成装置１００の構成例を示すブロック図である。
【図２】（Ａ）及び（Ｂ）はプリント用の電子情報内容のデータフォーマット例を示している。
【図３】バッファメモリ＃１〜＃６の構成例を示すイメージ図である。
【図４】カード作成来歴管理テーブルＴ１における個人識別番号ＩＤの管理例を示すイメージ図である。
【図５】バッファテーブルＴ２におけるバッファメモリ＃１〜＃６の管理例を示すイメージ図である。
【図６】（Ａ）〜（Ｃ）はプリント管理テーブルＴ３におけるデータシフト例を示す状態遷移図である。
【図７】カード作成装置１００における処理例（その１）を示すフローチャートである。
【図８】カード作成装置１００における処理例（その２）を示すフローチャートである。
【図９】カード作成装置１００における処理例（その３）を示すフローチャートである。
【図１０】カード作成装置１００における処理例（その４）を示すフローチャートである。
【図１１】カード作成装置１００における処理例（その５）を示すフローチャートである。
【図１２】本発明に係る第２の実施形態としてのカード作成装置２００の構成例を示すブロック図である。
【図１３】カード作成装置２００における処理例（その１）を示すフローチャートである。
【図１４】カード作成装置２００における処理例（その２）を示すフローチャートである。
【図１５】カード作成装置２００における処理例（その３）を示すフローチャートである。
【図１６】カード作成装置２００における処理例（その４）を示すフローチャートである。
【図１７】カード作成装置２００における処理例（その５）を示すフローチャートである。
【図１８】カードリードライト装置１４の内部構成例を示すブロック図である。
【図１９】本発明に係る実施例としての従業者証プリンタ６６を応用した従業者証発行システム５００の構成例を示すブロック図である。
【図２０】発行申請書４０の構成例を示すイメージ図である。
【図２１】従業者証３０の構成例を示すイメージ図である。
【図２２】従業者証３０の積層構造例を示す斜視図である。
【図２３】ＩＣチップ２４Ａの内部構成例を示すブロック図である。
【図２４】従業者証プリンタ６６の構成例を示す概念図である。
【図２５】従業者証プリンタ６６の制御系の構成例を示すブロック図である。
【図２６】従業者証発行システム５００における処理例を示すフローチャートである。
【図２７】他の実施例に係るパスワードの記録例が適用されるカード作成装置４００のブロック図である。
【図２８】従来例に係るカラー用の従業者証プリンタ１０の構成例を示す主要部のブロック図である。
【図２９】従業者証プリンタ１０におけるメモリ内容例（その１）を示すイメージである。
【図３０】従業者証プリンタ１０におけるメモリ内容例（その２）を示すイメージである。
【図３１】バッファメモリ＃１〜＃６におけるデータ格納位置ずれ例を示すイメージ図である。
【発明を実施するための形態】
【００３２】
以下、図面を参照しながら、この発明の実施形態に係るカード作成装置について説明をする。
【００３３】
（１）第１の実施形態
図１は、本発明の第１の実施形態としてのカード作成装置１００の構成例を示すブロック図である。
【００３４】
この実施形態ではカード部材にＩＣチップ内蔵型が使用される場合であって、白黒用の画像形成ユニットの下流側に記録再生装置が取り付けられ、カード部材内のＩＣチップに電子情報内容を記録するようになされる。また、カード発行要求者の個人識別情報を付加した顔画像情報及び文字情報に基づいて所定のカード部材にカラー顔画像と文字画像とを形成する場合に、個人識別情報の同一性を確認するようにカラー用及び白黒用の画像形成ユニットによる画像形成過程を管理する管理装置を備え、当該顔画像情報に付加された個人識別情報と同一性の無い誤った個人識別情報に係る文字情報のセット動作を阻止できるようにすると共に、高信頼度かつ高画像品質のＩＤカード等を提供できるようにしたものである。
【００３５】
図１に示すカード作成装置１００はＩＤカードを作成する装置であって、カード発行要求者の個人識別情報を付加した顔画像情報及び文字情報に基づいて所定のカード部材３０にカラー顔画像と文字画像とを形成するものである。ＩＤカードはカード部材３０にカラー顔画像及び文字画像を形成したものをいい、キャッシュカード、従業者証、社員証、会員証、学生証、身分証明書、外国人登録証及び各種運転免許証などが対象となる。
【００３６】
個人識別情報はカード発行要求者（以下で単に発行要求者という）を識別できる情報なら、識別符号、識別コード等何でも良い。この例では個人識別情報の一例となる個人識別番号ＩＤを用いることにする。個人識別番号ＩＤは発行要求者（カード所有者）本人を識別するための所定桁数を有した整列番号（数字）等である。
【００３７】
顔画像情報は本人の顔部位を撮影して得た顔画像に係るカラーのデジタルデータである。文字情報は発行要求者の氏名、住所、生年月日、ＩＤカードの発行年月日及び有効期限等をデジタル化した白黒のデータである。以下で個人識別番号ＩＤ、顔画像情報Ｄ１、文字情報Ｄ２等を総称してプリント用の電子情報内容ともいう。
【００３８】
このカード作成装置１００にはカード供給搬送手段の一例となるホッパー１１及び搬送ベルト装置１２が設けられている。ホッパー１１には所定枚数の枚葉状のカード部材３０が収納されており、搬送ベルト装置１２上に１枚ずつ排出するようになされる。搬送ベルト装置１２はカード部材３０を所定の方向へ搬送するようになされる。カード部材３０にはＩＣチップ内蔵型及びＩＣチップ非内蔵型の生カード基板等が使用される。
【００３９】
このホッパー１１の下流側にはタンデム方式の画像形成部が備えられており、カラー用の画像形成ユニット１３を構成するイエロー色の画像形成ユニット（以下でＹ色画像形成ユニットという）１５、マゼンタ色の画像形成ユニット（以下でＭ色画像形成ユニットという）１６及びシアン色の画像形成ユニット（以下でＣ色画像形成ユニットという）１７が順に並設されている。
【００４０】
Ｙ色画像形成ユニットでは搬送ベルト装置１２によって搬送されるカード部材３０に、当該個人識別番号ＩＤに付加されたイエロー色の顔画像情報Ｄ１（Ｙ）に基づいてイエロー顔画像（Ｙ色顔画像）を形成するようになされる。同様にしてＭ色画像形成ユニット１６では搬送ベルト装置１２によって搬送されるカード部材３０に、当該個人識別番号ＩＤに付加されたマゼンタ色の顔画像情報Ｄ１（Ｍ）に基づいてマゼンタ顔画像（Ｍ色顔画像）を形成するようになされる。更にＣ色画像形成ユニット１７では搬送ベルト装置１２によって搬送されるカード部材３０に、当該個人識別番号ＩＤに付加されたシアン色の顔画像情報Ｄ１（Ｃ）に基づいてシアン顔画像（Ｃ色顔画像）を形成するようになされる。
【００４１】
このＣ色画像形成ユニット１７の下流側には白黒用の画像形成ユニット（以下でＫ色画像形成ユニット１８という）が設けられ、カラー顔画像を形成されたカード部材３０に個人識別番号ＩＤに係る文字情報Ｄ２に基づいて文字画像を形成するようになされる。
【００４２】
各々のユニットには複数画面分のバッファメモリが設けられ、発行要求者の顔画像情報Ｄ１や文字情報Ｄ２が格納（セット）される。また、これらのユニット内にはインクリボンやサーマルヘッドなどが備えられる。
【００４３】
上述したホッパー１１、搬送ベルト装置１２、Ｙ色画像形成ユニット１５、Ｍ色画像形成ユニット１６、Ｃ色画像形成ユニット１７及びＫ色画像形成ユニット１８には管理装置９０が接続されており、個人識別番号ＩＤの同一性を確認するようにホッパー１１や、搬送ベルト装置１２等におけるカード部材３０の供給搬送及び、これらの画像形成ユニット１５〜１８における画像形成過程を管理するようになされる。
【００４４】
この管理装置９０は制御手段５５、カード作成来歴管理テーブルＴ１、バッファテーブルＴ２、画像形成管理テーブル（以下でプリント管理テーブルという）Ｔ３を有している。制御手段５５では個人識別番号ＩＤを付加したＲ（赤色），Ｇ（緑色）、Ｂ（青色）のカラー用の顔画像情報Ｄ１及び白黒用の文字情報Ｄ２を発行要求者毎に上位のホストコンピュータ等より入力すると、Ｒ、Ｇ、Ｂ色の顔画像情報Ｄ１が制御手段５５によってＹ色顔画像情報Ｄ１（Ｙ）、Ｍ色顔画像情報Ｄ１（Ｍ）及びＣ色顔画像情報Ｄ１（Ｃ）に変換される。
【００４５】
この制御手段５５からＹ色画像形成ユニット１５にはＹ色顔画像情報Ｄ１（Ｙ）が出力され、同様にしてＭ色画像形成ユニット１６にはＭ色顔画像情報Ｄ１（Ｍ）が出力され、Ｃ色画像形成ユニット１７にはＣ色顔画像情報Ｄ１（Ｃ）が各々出力され、当該個人識別番号ＩＤに係るこれらのＹ色顔画像情報Ｄ１（Ｙ）、Ｍ色顔画像情報Ｄ１（Ｍ）及びＣ色顔画像情報Ｄ１（Ｃ）がバッファメモリにセットされる。また、Ｋ色画像形成ユニット１８には当該個人識別番号ＩＤに係る文字情報Ｄ２が出力されてバッファメモリにセットされる。以下でＹ色顔画像情報Ｄ１（Ｙ）、Ｍ色顔画像情報Ｄ１（Ｍ）及びＣ色顔画像情報Ｄ１（Ｃ）を総称して顔画像情報Ｄ１ともいう。
【００４６】
この制御手段５５にはバッファテーブルＴ２が接続され、この制御手段５５によって複数のバッファメモリにセットされる個人識別番号ＩＤ、顔画像情報Ｄ１及び文字情報Ｄ２のセット状態を発行要求者毎に管理するようになされる。
【００４７】
この制御手段５５には更にカード作成来歴管理テーブルＴ１が接続され、順次、制御手段５５に入力される複数の発行要求者の個人識別番号ＩＤを管理するようになされる。また、制御手段５５には更にプリント管理テーブルＴ３が接続され、制御手段５５に順次、入力される複数の発行要求者の個人識別番号ＩＤを管理するようになされる。
【００４８】
プリント管理テーブルＴ３ではカード作成来歴管理テーブルＴ１及びバッファテーブルＴ２に関してホッパー１１、搬送ベルト装置１２、Ｙ色画像形成ユニット１５、Ｍ色画像形成ユニット１６、Ｃ色画像形成ユニット１７及びＫ色画像形成ユニット１８毎に管理するようになされる。
【００４９】
図１に示すカード作成装置１００はＩＣチップ内蔵型のカード部材３０にカラーの顔画像及び白黒の文字画像を形成すると共に、この顔画像及び文字画像形成後のＩＣチップ内に電子情報内容ＩＤ＋Ｄ１＋Ｄ２を記録するようになされる。電子情報内容ＩＤ＋Ｄ１＋Ｄ２はカードリードライト装置１４によって書き込まれる。
【００５０】
このＩＣチップ内蔵型のカード部材３０は基板用の部材と、当該発行要求者の顔画像が熱転写される受像層を有した表面用の部材と、この基板用の部材と表面用の部材との間に電子部品を有するものである。電子部品は電子情報内容ＩＤ＋Ｄ１＋Ｄ２を記憶するＩＣチップ及びこのＩＣチップに接続されたコイル状のアンテナ体等から構成されるものである（図２２参照）。
【００５１】
図１に示す制御手段５５にはＩＣカード制御装置３５が接続されており、このＩＣカード制御装置３５にはカードリードライト装置１４が接続されている。このカードリードライト装置１４及びＩＣカード制御装置３５は記録再生手段を構成する。カードリードライト装置１４は電子カード内に設けられたＩＣチップに発行要求者の顔画像情報Ｄ１、文字情報Ｄ２及び個人識別番号ＩＤを書き込み又はそれを読み出すものである。
【００５２】
例えば、カードリードライト装置１４は図１８に示すように、カードリードライト部７０及び情報書込み読出し制御部７１を有している。カードリードライト部７０はカード挿入側が凹状を成したスライド部７２を有しており、カード部材３０が例えば、スライド挿入される。このスライド部７２の左右の内部にはアンテナ体７３が取り付けられる。このアンテナ体７３はカード部材３０内のアンテナ体に電磁結合され、カード内のＩＣチップへの駆動電源を供給しつつ、文字情報Ｄ２や個人識別番号ＩＤが書き込み又は読み出される。
【００５３】
この情報書込み読出し制御部７１は内部バス８１に接続された送受信部７４、ＲＡＭ７５、ＲＯＭ７６、通信インタフェース７７、ＣＰＵ７８及び電源部７９を有している。上述したカードリードライト部７０のアンテナ体７３には送受信部７４が接続され、情報書き込み時に所定の変調電波に変調された顔画像情報Ｄ１、文字情報Ｄ２及び個人識別番号ＩＤが送信される。情報読み出し時には、予めカード部材３０内で所定の変調信号に変調されたこれらの電子情報内容ＩＤ＋Ｄ１＋Ｄ２がアンテナ体７３を介して取り込まれ復調される。
【００５４】
この送受信部７４には内部バス８１を介してＲＡＭ７５及びＲＯＭ７６が接続され、送受信部７４で復調された顔画像情報Ｄ１、文字情報Ｄ２及び個人識別番号ＩＤが一時記憶される。ＲＯＭ７６には、情報書込み読出し手順などの制御データが格納される。内部バス８１には通信インタフェース７７が接続され、ＲＳ−２３２Ｃ（又はＲＳ−４２２）の通信プロトコルに準拠した通信回線を介して外部の端末装置が接続される。このカードリードライト装置１４とＩＣカード制御装置３５を介して制御手段５５との間でデータ通信を行うようになされる。
【００５５】
この通信インタフェース７７には内部バス８１を介してＣＰＵ７８が接続され、情報書込み読出し時に、送受信部７４、ＲＡＭ７５及びＲＯＭ７６の入出力が制御される。例えば、情報読み出し時には、送受信部７４から得られた電子情報内容ＩＤ＋Ｄ１＋Ｄ２が通信インタフェース７７を介して外部の端末装置などに転送される。情報書き込み時には、制御手段５５から転送されてきた電子情報内容ＩＤ＋Ｄ１＋Ｄ２が送受信部７４に出力される。
【００５６】
また、情報書込み読出し制御部７１には電源部７９が設けられ、カード部材内のＩＣチップを駆動するための所定の周波数の高周波信号がアンテナ体７３に供給される。もちろん、送受信部７４、ＲＡＭ７５、ＲＯＭ７６、通信インタフェース７７及びＣＰＵ７８には直流電源ＶＣＣが供給される。
【００５７】
この例で図１に示したプリント管理テーブルＴ３にはカードリードライト装置１４を制御するカードリードライトステージ（以下でＲ／Ｗステージという）が記述され、制御手段５５ではプリント管理テーブルＴ３において、ＫステージからＲ／ＷステージへバッファテーブルＮｏ及びカード作成来歴管理テーブルＮｏをシフトするようになされる。
【００５８】
これと共に、Ｒ／ＷステージにおけるバッファテーブルＮｏによって管理される当該発行要求者の個人識別番号ＩＤと、カード作成来歴管理テーブルＮｏによって管理される当該発行要求者の個人識別番号ＩＤとが比較される。この比較結果で、両方の個人識別番号ＩＤの一致を検出した後にカードリードライト装置１４によって当該発行要求者の個人識別番号ＩＤ、顔画像情報Ｄ１及び文字情報Ｄ２を記録するようになされる。
【００５９】
図２Ａ及びＢはプリント用の電子情報内容のデータフォーマットを示している。図２Ａに示すデータフォーマットによれば、そのヘッダ部に個人識別番号ＩＤが記述され、データ部にはＲ（赤色），Ｇ（緑色）、Ｂ（青色）のカラー用の顔画像情報Ｄ１と白黒用の文字情報Ｄ２が記述されている。これらの一連のデータストリームが発行要求者一名分のプリント用の電子情報内容として上位のホストコンピュータ等より転送されてくる。このデータフォーマットは撮影装置内で個人識別番号ＩＤに基づいて顔画像情報Ｄ１と文字情報Ｄ２とを編成する場合に適している。
【００６０】
図２Ｂに示すデータフォーマットによれば、そのヘッダ部に個人識別番号ＩＤが記述され、データ部に上述したカラー用の顔画像情報Ｄ１が記述された第１のデータストリームと、そのヘッダ部に個人識別番号ＩＤが記述され、データ部に上述した白黒用の文字情報Ｄ２が記述された第２のデータストリームとに分割する方法が採られる。このデータフォーマットは撮影装置等から直接、カード作成装置１００に顔画像情報Ｄ１を転送し、また、端末装置等からカード作成装置１００へ文字情報Ｄ２を転送し、当該カード作成装置１００で編成する場合に適している。
【００６１】
図３はバッファメモリ＃１〜＃６の構成例を示すイメージ図である。図３に示すバッファメモリ＃１〜＃６はカード作成装置１００内に設けられ、当該個人識別番号ＩＤに係るＹ色顔画像情報Ｄ１（Ｙ）、Ｍ色顔画像情報Ｄ１（Ｍ）、Ｃ色顔画像情報Ｄ１（Ｃ）及び文字情報Ｄ２を格納するために６画面分のメモリ領域が準備される。これは時分割に画像形成処理を行なうためであり、６画面分の顔画像情報Ｄ１を時分割に書込み読出し処理することによりメモ画像形成処理の高速化を図れる。
【００６２】
バッファメモリ＃１〜＃６は６画面分の全部を制御手段５５内に設けてもよいが、これをＹ色画像形成ユニット１５、Ｍ色画像形成ユニット１６、Ｃ色画像形成ユニット１７、及びＫ色画像形成ユニット１８にそれぞれ分割してバッファメモリ＃１〜＃６を設け、当該個人識別番号ＩＤに係るＹ色顔画像情報Ｄ１（Ｙ）、Ｍ色顔画像情報Ｄ１（Ｍ）、Ｃ色顔画像情報Ｄ１（Ｃ）及び文字情報Ｄ２を個別に格納するようにしてもよい。
【００６３】
図４はカード作成来歴管理テーブルＴ１における個人識別番号ＩＤの管理例を示すイメージ図である。図４に示すカード作成来歴管理テーブルＴ１には、複数の発行要求者の個人識別番号ＩＤが記述され管理される。個人識別番号ＩＤはホストコンピュータ等から制御手段５５に入力される当該発行要求者のプリント用の電子情報内容ＩＤ＋Ｄ１＋Ｄ２から抽出（複写）される。この例ではシリアルの制御番号Ｎｏ１〜ｎに対して、Ｎｏ１〜Ｎｏ７まで「空」であり、Ｎｏ８には例えば、発行要求者（丸付き数字１）が記述されている。この制御番号Ｎｏ８を指定すると発行要求者（丸付き数字１）の個人識別番号ＩＤを読み出すことができる。
【００６４】
以下、制御番号Ｎｏ９には発行要求者Ｘ９、Ｎｏ１０には発行要求者Ｘ１０、Ｎｏ１１には発行要求者Ｘ１１・・・・、Ｎｏｎには発行要求者Ｘｎが記述されている。この記述内容はカード作成時の発行要求者の個人識別番号ＩＤの同一性を確認するために使用される。
【００６５】
図５はバッファテーブルＴ２におけるバッファメモリ＃１〜＃６の管理例を示すイメージ図である。図５に示すバッファテーブルＴ２には制御手段５５によってバッファメモリ＃１〜＃６にセットされる個人識別番号ＩＤ、顔画像情報Ｄ１及び文字情報Ｄ２のセット状態を発行要求者毎に管理するようになされる。この例ではバッファメモリ＃１に、発行要求者（丸付き数字１）の個人識別番号ＩＤ、顔画像情報Ｄ１及び文字情報Ｄ２がセットされている場合を示している。他のバッファメモリ＃２〜＃６にはいずれの個人識別番号ＩＤ、顔画像情報Ｄ１及び文字情報Ｄ２もセットされておらず、「空」の場合を示している。
【００６６】
図６Ａ〜Ｃはプリント管理テーブルＴ３におけるデータシフト例を示す状態遷移図である。図６Ａに示すプリント管理テーブルＴ３に当該発行要求者に関するバッファテーブル番号（Ｎｏ）及びカード作成来歴管理テーブル番号（Ｎｏ）を記述した欄が設けられる。このバッファテーブルＮｏ及びカード作成来歴管理テーブルＮｏに対応してホッパーステージ、Ｙステージ、Ｍステージ、Ｃステージ及びＫステージを記述した欄が設けられる。
【００６７】
このホッパーステージはホッパー１１及び搬送ベルト装置１２を制御する制御テーブルである。ＹステージはＹ色画像形成ユニット１５を制御する制御テーブルである。ＭステージはＭ色画像形成ユニット１６を制御する制御テーブルである。ＣステージはＣ色画像形成ユニット１７を制御する制御テーブルである。ＫステージはＫ色画像形成ユニット１８を制御する制御テーブルである。
【００６８】
この例で、図６Ａに示すプリント管理テーブルＴ３のバッファテーブルＮｏには当該発行要求者（丸付き数字１）に関するバッファメモリ＃１がセットされ、カード作成来歴管理テーブルＮｏには制御番号「８」がセットされる。制御手段５５ではバッファテーブルＮｏによって管理される当該発行要求者（丸付き数字１）の個人識別番号ＩＤと、カード作成来歴管理テーブルＴ１によって管理される当該発行要求者（丸付き数字１）の個人識別番号ＩＤとが比較される。この比較結果に基づいて両方の個人識別番号ＩＤが一致した場合にホッパー１１から搬送ベルト装置１２上へ１枚のカード部材３０を排出するような制御がなされる。
【００６９】
この例ではまた、図６Ａに示したホッパーステージから図６Ｂに示すＹステージへバッファテーブルＮｏのバッファメモリ＃１及びカード作成来歴管理テーブルＮｏの制御番号「８」を共にシフトするようになされる。カード部材３０がホッパー１１からＹ色画像形成ユニット１５下に移動するためである。このときＹ色画像形成ユニット１５では、Ｙ色顔画像情報Ｄ１（Ｙ）に基づいてカード部材３０にＹ色顔画像を形成するような制御がなされる。
【００７０】
この例では更に図６Ｂに示したＹステージから図６Ｃに示すＭステージへバッファテーブルＮｏのバッファメモリ＃１及びカード作成来歴管理テーブルＮｏの制御番号「８」を共にシフトするようになされる。カード部材３０がＹ色画像形成ユニット１５からＭ色画像形成ユニット１６下に移動するためである。このときＭ色画像形成ユニット１６では、Ｍ色顔画像情報Ｄ１（Ｍ）に基づいてカード部材３０にＭ色顔画像が形成される。
【００７１】
同様にして、プリント管理テーブルＴ３のバッファテーブルＮｏ及びカード作成来歴管理テーブルＮｏを順次参照して、カード作成時の発行要求者の個人識別番号ＩＤの同一性を確認することにより、他のＣ色画像形成ユニット１７及びＫ色画像形成ユニット１８を制御することができる。
【００７２】
次に、カード作成装置１００における処理例について説明をする。図７〜図１１はカード作成装置１００における処理例（その１〜５）を示すフローチャートである。
【００７３】
この実施形態ではカード発行要求者の個人識別情報を付加した顔画像情報及び文字情報に基づいて所定のカード部材３０にカラー顔画像と文字画像とを形成する場合を前提とする。もちろん、個人識別情報の同一性を確認するようにホッパー１１、搬送ベルト装置１２、Ｙ色画像形成ユニット１５、Ｍ色画像形成ユニット１６、Ｃ色画像形成ユニット１７及びＫ色画像形成ユニット１８による画像形成過程を管理する管理装置９０を備えるものである。管理装置９０にはカード作成来歴管理テーブルＴ１、バッファテーブルＴ２及びプリント管理テーブルＴ３が準備される場合を想定する。
【００７４】
これを前提にして図７に示すフローチャートのステップＡ１でホストコンピュータ等から制御手段５５にプリント用の電子情報内容ＩＤ＋Ｄ１＋Ｄ２を入力する。その後、ステップＡ２で制御手段５５はプリント管理テーブルＴ３のホッパーステージにバッファテーブルＮｏとして「＃１」及びカード作成来歴管理テーブルＮｏとして「８」をセットする。
【００７５】
そして、ステップＡ３でホッパーステージにおけるバッファテーブルＮｏ＝＃１によって管理される当該発行要求者（丸付き数字１）の個人識別番号ＩＤと、カード作成来歴管理テーブルＮｏ＝「８」によって管理される当該発行要求者の個人識別番号ＩＤとが制御手段５５によって比較される。
【００７６】
その後、ステップＡ４に移行して両方の個人識別番号ＩＤが一致するかが検出される。両方の個人識別番号ＩＤが一致する場合には、ステップＡ５に移行してホッパー１１から１枚のカード部材３０が搬送ベルト装置１２へ排出される。その後、カード部材３０が搬送ベルト装置１２によってＹ色画像形成ユニット１５に搬送され、ステップＡ６でＹ色画像形成ユニット１５へのカード部材３０の到達及びそのセットが検出される。カード部材到達は図示しないが、周知の光学センサ等により検出される。センサ出力は制御手段５５へ出力される。
【００７７】
その後、ステップＡ７に移行してプリント管理テーブルＴ３において、ホッパーステージからＹステージへバッファテーブルＮｏ＝「＃１」及びカード作成来歴管理テーブルＮｏ＝「８」がシフトされる。このシフトはカード部材３０の移動に合わせるためである。そして、図８に示すフローチャートのステップＡ８でＹステージにおけるバッファテーブルＮｏ＝「＃１」によって管理される当該発行要求者（丸付き数字１）の個人識別番号ＩＤと、カード作成来歴管理テーブルＮｏ＝「８」によって管理される当該発行要求者（丸付き数字１）の個人識別番号ＩＤとが制御手段５５によって比較される。
【００７８】
そして、ステップＡ９で両方の個人識別番号ＩＤが一致するかが検出される。両方の個人識別番号ＩＤが一致する場合には、ステップＡ１０でＹステージにてＹ色画像形成ユニット１５によりカード部材３０にイエロー色の顔画像が形成される。その後、ステップＡ１１でＹ色画像形成ユニット１５からＭ色画像形成ユニット１６へ搬送ベルト装置１２によってカード部材３０が搬送され、ステップＡ１２でＭ色画像形成ユニット１６へのカード部材３０の到達及びそのセットが検出される。
【００７９】
その後、ステップＡ１３に移行してプリント管理テーブルＴ３において、ＹステージからＭステージへバッファテーブルＮｏ＝「＃１」及びカード作成来歴管理テーブルＮｏ＝「８」がシフトされる。そして、図９に示すフローチャートのステップＡ１４でＭＹステージにおけるバッファテーブルＮｏ＝「＃１」によって管理される当該発行要求者（丸付き数字１）の個人識別番号ＩＤと、カード作成来歴管理テーブルＮｏ＝「８」によって管理される当該発行要求者（丸付き数字１）の個人識別番号ＩＤとが制御手段５５によって比較される。
【００８０】
その後、ステップＡ１５で両方の個人識別番号ＩＤが一致するかが検出される。両方の個人識別番号ＩＤが一致する場合には、ステップＡ１６でＭステージにてＭ色画像形成ユニット１６によりカード部材３０のＹ色顔画像上にマゼンタ色の顔画像が形成される。その後、ステップＡ１７でＹ色画像形成ユニット１５からＭ色画像形成ユニット１６へ搬送ベルト装置１２によってカード部材３０が搬送され、ステップＡ１８でＣ色画像形成ユニット１７へのカード部材３０の到達及びそのセットが検出される。
【００８１】
そして、ステップＡ１９に移行してプリント管理テーブルＴ３において、ＭステージからＣステージへバッファテーブルＮｏ＝「＃１」及びカード作成来歴管理テーブルＮｏ＝「８」がシフトされる。その後、図１０に示すフローチャートのステップＡ２０に移行して、ＣステージにおけるバッファテーブルＮｏ＝「＃１」によって管理される当該発行要求者（丸付き数字１）の個人識別番号ＩＤと、カード作成来歴管理テーブルＮｏ＝「８」によって管理される当該発行要求者（丸付き数字１）の個人識別番号ＩＤとが制御手段５５によって比較される。
【００８２】
そして、ステップＡ２１で両方の個人識別番号ＩＤが一致するかが検出される。両方の個人識別番号ＩＤが一致する場合には、ステップＡ２２でＣステージにてＣ色画像形成ユニット１７によりカード部材３０のＭ色顔画像上にシアン色の顔画像が形成される。その後、ステップＡ２３でＣ色画像形成ユニット１７からＫ色画像形成ユニット１８へ搬送ベルト装置１２によってカード部材３０が搬送され、ステップＡ２４でＫ色画像形成ユニット１８へのカード部材３０の到達及びそのセットが検出される。
【００８３】
そして、ステップＡ２４に移行してプリント管理テーブルＴ３において、ＣステージからＫステージへバッファテーブルＮｏ＝「＃１」及びカード作成来歴管理テーブルＮｏ＝「８」がシフトされる。その後、図１１に示すフローチャートのステップＡ２６に移行して、ＣステージにおけるバッファテーブルＮｏ＝「＃１」によって管理される当該発行要求者（丸付き数字１）の個人識別番号ＩＤと、カード作成来歴管理テーブルＮｏ＝「８」によって管理される当該発行要求者（丸付き数字１）の個人識別番号ＩＤとが制御手段５５によって比較される。
【００８４】
その後、ステップＡ２７で両方の個人識別番号ＩＤが一致するかが検出される。両方の個人識別番号ＩＤが一致する場合には、ステップＡ２８でＫステージにてＫ色画像形成ユニット１８によりカード部材３０に文字画像が形成される。その後、ステップＡ２９で搬送ベルト装置１２によってＫ色画像形成ユニット１８からカード部材３０が排出される。その後、ステップＡ３０でカード排出が検出される。カード排出検出は図示しないが、周知の光学センサ等により検出される。センサ出力は制御手段５５へ出力される。
【００８５】
なお、ステップＡ４、ステップＡ９、ステップＡ１５、ステップＡ２１及びステップＡ２７で各々の両方の個人識別番号ＩＤが一致しない場合は、ステップＡ３１に移行してエラー処理がなされる。このエラー処理ではＹステージ、Ｍステージ、Ｃステージ又はＫステージによって管理される当該発行要求者（丸付き数字１）の個人識別番号ＩＤが一致しない旨の表示がなされる。このエラー表示ではこのまま画像形成処理を継続すると、異なった色の顔画像や、他人の文字画像が形成されることが警告される。
【００８６】
そして、ステップＡ３２に移行して、ＩＤカードの作成が全部終了したかが周知の方法により制御手段５５によってチェックされる。オペレータはこれを確認し、ＩＤカードの作成を全部終了した場合は処理を終了する。ＩＤカードの作成を全部終了していない場合はステップＡ１に戻って上述した処理を継続する。
【００８７】
このように、本発明に係る第１の実施形態としてのカード作成装置１００によれば、個人識別番号ＩＤを付加した顔画像情報Ｄ１及び文字情報Ｄ２に基づいて所定のカード部材３０にカラー顔画像と文字画像とを形成する場合に、個人識別番号ＩＤの同一性を確認するようにホッパー１１及び搬送ベルト装置１２におけるカード部材３０の供給搬送過程と、Ｙ色画像形成ユニット１５、Ｍ色画像形成ユニット１６、Ｃ色画像形成ユニット１７及びＫ色画像形成ユニット１８における画像形成過程とを管理装置９０によって管理するようになされる。
【００８８】
しかも、図１に示したＫ色画像形成ユニット１８の下流側にカードリードライト装置１４が取り付けられ、顔画像及び文字画像形成済みのカード部材３０内のＩＣチップに電子情報内容を記録するようになされる。
【００８９】
従って、当該顔画像情報Ｄ１及び文字情報Ｄ２に付加された個人識別番号ＩＤと同一性の無い誤った個人識別番号ＩＤに係る電子情報内容ＩＤ＋Ｄ１＋Ｄ２による書込みを阻止できるので、当該個人識別番号ＩＤによりカラー顔画像及び文字画像が形成されたカード部材３０に、この個人識別番号ＩＤと同一性の無い異なった個人識別番号ＩＤ’に係る電子情報内容ＩＤ＋Ｄ１＋Ｄ２によるデータ記録を無くすことができる。
【００９０】
これにより、本人の顔画像が形成されたカード部材３０に他人の氏名や住所等が印刷される事態を無くすことができる。しかも、本人の顔画像及び文字画像が形成されたカード部材３０に他人の顔画像情報Ｄ１や文字情報Ｄ２等が記録される事態を無くすことができる。高信頼度かつ高画像品質のＩＤカード等を提供することができる。
【００９１】
（２）第２の実施形態
図１２は本発明に係る第２の実施形態としてのカード作成装置２００の構成例を示すブロック図である。  
この実施形態では発行要求者の個人識別番号ＩＤを付加した顔画像情報Ｄ１及び文字情報Ｄ２に基づいて所定のカード部材３０にカラー顔画像と文字画像とを形成する場合に、この個人識別番号ＩＤのリレー制御を実行する制御装置を備え、当該発行要求者の個人識別番号ＩＤをカード供給搬送手段に設定する。
【００９２】
これと共に、ここで設定された個人識別番号ＩＤを比較基準値としてカード供給搬送手段からカラー用の画像形成ユニット、白黒用の画像形成ユニットへと順次受け渡すようにして、カラー用の画像形成ユニットにおいて個人識別番号ＩＤの同一性を確認した後に顔画像を形成できるようにすると共に、及び、白黒用の画像形成ユニットにおいても個人識別番号ＩＤの同一性を確認した後に文字画像を形成できるようにしたものである。
【００９３】
図１２に示すカード作成装置２００は発行要求者の個人識別番号ＩＤを付加した顔画像情報Ｄ１及び文字情報Ｄ２に基づいて所定のカード部材３０にカラー顔画像と文字画像とを形成する装置である。
【００９４】
このカード作成装置２００には第１の実施形態と同様にしてカード供給搬送手段の一例となるホッパー１１及び搬送ベルト装置１２と、カラー用の画像形成ユニットの一例となるＹ色画像形成ユニット１５、Ｍ色画像形成ユニット１６及びＣ色画像形成ユニット１７と、白黒用の画像形成ユニットの一例となるＫ色画像形成ユニット１８とが設けられる。
【００９５】
このカード作成装置２００でも、カラー顔画像を形成されたカード部材３０に個人識別番号ＩＤに係る文字情報Ｄ２に基づいて文字画像を形成するようになされる。なお、第１の実施形態と同じ名称及び同じ符号のものは同じ機能を有するためその説明を省略する。
【００９６】
このホッパー１１、搬送ベルト装置１２、Ｙ色、Ｍ色、Ｃ色及びＫ色画像形成ユニット１５、１６、１７及び１８には制御装置６５が接続されており、当該発行要求者の個人識別番号ＩＤをホッパー１１の駆動制御用のステージ（ホッパーステージ）に設定すると共に、そのホッパーステージに設定された個人識別番号ＩＤを比較基準値としてＹ色画像形成ユニット１５から、Ｍ色画像形成ユニット１６、Ｃ色画像形成ユニット１７及びＫ色画像形成ユニット１８へ順次受け渡すようなリレー制御を実行するようになされる。
【００９７】
この実施形態ではカード部材３０にＩＣチップ内蔵型が使用される場合であって、第１の実施形態で説明したＫ色画像形成ユニット１８の下流側に記録再生装置を構成するカードリードライト装置１４が取り付けられ、カード部材３０内のＩＣチップに電子情報内容を記録するようになされる。
【００９８】
図１２に示すカード作成装置４００はＩＣチップ内蔵型のカード部材３０にカラーの顔画像及び白黒の文字画像を形成すると共に、この顔画像及び文字画像形成後のＩＣチップ内に電子情報内容ＩＤ＋Ｄ１＋Ｄ２を記録するようになされる。電子情報内容ＩＤ＋Ｄ１＋Ｄ２はカードリードライト装置１４によって書き込まれる。なお、第１の実施形態と同じ名称及び同じ符号のものは同じ機能を有するためその説明を省略する。
【００９９】
図１２に示す制御装置６５にはＩＣカード制御装置３５が接続されており、このＩＣカード制御装置３５にはカードリードライト装置１４が接続されている。このカードリードライト装置１４はカード部材内に設けられたＩＣチップ２４Ａに発行要求者の顔画像情報Ｄ１、文字情報Ｄ２及び個人識別番号ＩＤを書き込み又はそれを読み出すものである。
【０１００】
この制御装置６５のリレー制御においてはＫ色画像形成ユニット１８による文字画像形成が終了すると、個人識別番号ＩＤがカードリードライト装置１４へ受け渡され、カードリードライト装置１４ではＩＣカード制御装置３５から設定される個人識別番号ＩＤと、Ｋ色画像形成ユニット１８から受け取った個人識別番号ＩＤとが比較される。この比較結果に基づいて両方の個人識別番号ＩＤの一致を検出した後に、カード部材３０内に当該発行要求者に係る個人識別番号ＩＤ、顔画像情報Ｄ１及び文字情報を記録するようになされる。
【０１０１】
この個人識別番号ＩＤの比較処理はＩＣカード制御装置３５内で行ってもよい。その場合には、Ｋ色画像形成ユニット１８から受け取った個人識別番号ＩＤと制御装置６５から受け取った個人識別番号ＩＤとがＩＣカード制御装置３５によって比較される。この比較結果に基づいて両方の個人識別番号ＩＤの一致を検出した後に、ＩＣカード制御装置３５からカードリードライト装置１４へ書込み許可がなされ、カード部材３０内に当該発行要求者に係る個人識別番号ＩＤ、顔画像情報Ｄ１及び文字情報を記録するようになされる。
【０１０２】
続いて、カード作成装置２００における処理例について説明をする。図１３〜図１７はカード作成装置２００における処理例（その１〜５）を示すフローチャートである。
【０１０３】
この実施形態ではカード発行要求者の個人識別情報を付加した顔画像情報及び文字情報に基づいて所定のカード部材３０にカラー顔画像と文字画像とを形成する場合を前提とする。制御装置６５では当該発行要求者の個人識別番号ＩＤをホッパーステージに設定すると共に、そのホッパーステージに設定された個人識別番号ＩＤを比較基準値としてＹ色画像形成ユニット１５から、Ｍ色画像形成ユニット１６、Ｃ色画像形成ユニット１７及びＫ色画像形成ユニット１８へ順次受け渡すようなリレー制御を実行する場合を想定する。
【０１０４】
これを前提にして図１３に示すフローチャートのステップＢ１でホストコンピュータ等から制御装置６５にプリント用の電子情報内容ＩＤ＋Ｄ１＋Ｄ２を入力する。その後、ステップＢ２で制御装置６５は当該発行要求者（丸付き数字１）の個人識別番号ＩＤをホッパーステージに設定する。ホッパーステージはホッパー１１を制御する制御ステージである。
【０１０５】
これと共に、ホッパー１１は１枚のカード部材３０を搬送ベルト装置１２上に排出する。そして、搬送ベルト装置１２によりカード部材３０がＹ色画像形成ユニット１５へ搬送開始される。他方で、ホッパー１１からＹ色画像形成ユニット１５へ個人識別番号ＩＤが受け渡（通知）される。
【０１０６】
また、ステップＢ３では制御装置６５からＹ色画像形成ユニット１５へ電子情報内容ＩＤ＋Ｄ１（Ｙ）が転送される。ステップＢ４ではＹ色画像形成ユニット１５へのカード部材３０の到達及びそのセットが検出される。カード部材到達は図示しないが、周知の光学センサ等により検出される。センサ出力は制御装置６５へ出力される。
【０１０７】
その後、ステップＢ５でＹ色画像形成ユニット１５では制御装置６５から設定された個人識別番号ＩＤと、ホッパー１１から受け取った個人識別番号ＩＤとが比較される。そして、ステップＢ６で比較結果に基づいて両方の個人識別番号ＩＤが一致するかが検出される。両方の個人識別番号ＩＤが一致する場合には、ステップＢ７でカード部材３０に当該個人識別番号ＩＤに係る顔画像情報Ｄ１（Ｙ）に基づいてイエロー色の顔画像が形成される。
【０１０８】
そして、Ｙ色顔画像の形成が終了すると、図１４に示すフローチャートのステップＢ８に移行して個人識別番号ＩＤがＹ色画像形成ユニット１５からＭ色画像形成ユニット１６へ受け渡（通知）される。また、ステップＢ９では制御装置６５からＭ色画像形成ユニット１６へ電子情報内容ＩＤ＋Ｄ１（Ｍ）が転送される。
【０１０９】
その後、ステップＢ１０ではカード部材３０のＭ色画像形成ユニット１６への到達及びカード部材３０のセットが検出される。そして、ステップＢ１１でＭ色画像形成ユニット１６では制御装置６５から設定された個人識別番号ＩＤと、Ｙ色画像形成ユニット１５から受け取った個人識別番号ＩＤとが比較される。
【０１１０】
その後、ステップＢ１２で両方の個人識別番号ＩＤが一致するかが検出される。個人識別番号ＩＤが一致する場合には、ステップＢ１３でカード部材３０に当該個人識別番号ＩＤに係る顔画像情報Ｄ１（Ｍ）に基づいてマゼンタ色の顔画像が形成される。
【０１１１】
そして、Ｍ色顔画像の形成が終了すると、図１５に示すフローチャートのステップＢ１４に移行して個人識別番号ＩＤがＣ色画像形成ユニット１７へ受け渡（通知）される。また、ステップＢ１５では制御装置６５からＣ色画像形成ユニット１７へ電子情報内容ＩＤ＋Ｄ１（Ｃ）が転送される。
【０１１２】
その後、ステップＢ１６ではカード部材３０のＣ色画像形成ユニット１７への到達及びカード部材３０のセットが検出される。そして、ステップＢ１７でＣ色画像形成ユニット１７では制御装置６５から設定された個人識別番号ＩＤと、Ｙ色画像形成ユニット１５から受け取った個人識別番号ＩＤとが比較される。
【０１１３】
その後、ステップＢ１８で両方の個人識別番号ＩＤが一致するかが検出される。個人識別番号ＩＤが一致する場合には、ステップＢ１９でカード部材３０に当該個人識別番号ＩＤに係る顔画像情報Ｄ１（Ｃ）に基づいてシアン色の顔画像が形成される。
【０１１４】
そして、Ｃ色画像形成ユニット１７によるＣ色顔画像の形成が終了すると、図１６に示すフローチャートのステップＢ２０に移行して個人識別番号ＩＤがＫ色画像形成ユニット１８へ受け渡（通知）される。また、ステップＢ２１では制御装置６５からＫ色画像形成ユニット１８へ電子情報内容ＩＤ＋Ｄ２が転送される。そして、ステップＢ２２ではＫ色画像形成ユニット１８へのカード部材３０の到達及びそのセットが検出される。その後、ステップＢ２３でＫ色画像形成ユニット１８では制御装置６５から設定される個人識別番号ＩＤと、Ｃ色画像形成ユニット１７から受け取った個人識別番号ＩＤとが比較される。
【０１１５】
その後、ステップＢ２４で両方の個人識別番号ＩＤが一致するかが検出される。個人識別番号ＩＤが一致する場合には、ステップＢ２５でカード部材３０に当該個人識別番号ＩＤに係る文字情報Ｄ２に基づいて黒色の文字画像が形成される。
【０１１６】
そして、図１７に示すフローチャートのステップＢ２６に移行して搬送ベルト装置１２によってＫ色画像形成ユニット１８からカード部材３０が排出される。その後、ステップＢ２７でカード排出が検出される。カード排出検出は図示しないが、周知の光学センサ等により検出される。センサ出力は制御装置６５へ出力される。
【０１１７】
なお、ステップＢ６、ステップＢ１２、ステップＢ１８、ステップＢ２４で各々の両方の個人識別番号ＩＤが一致しない場合は、ステップＢ２８に移行してエラー処理がなされる。そして、ステップＢ２９に移行して、ＩＤカードの作成が全部終了したかがオペレータによってチェックされる。ＩＤカードの作成を全部終了した場合は処理を終了する。ＩＤカードの作成を全部終了していない場合はステップＢ１に戻って上述した処理を継続する。
【０１１８】
このように、本発明に係る第２の実施形態としてのカード作成装置２００によれば、発行要求者の個人識別番号ＩＤを付加した顔画像情報Ｄ１及び文字情報Ｄ２に基づいて所定のカード部材３０にカラー顔画像及び文字画像を形成する場合に、制御装置６５では当該発行要求者の個人識別番号ＩＤをホッパーステージに設定すると共に、ここで設定された個人識別番号ＩＤを比較基準値として、Ｙ色画像形成ユニット１５からＭ色画像形成ユニット１６、Ｃ色画像形成ユニット１７及びＫ色画像形成ユニット１８へ順次受け渡すようなリレー制御が実行される。
【０１１９】
しかも、図１に示したＫ色画像形成ユニット１８の下流側にカードリードライト装置１４（図１８参照）が取り付けられ、顔画像及び文字画像形成済みのカード部材３０内のＩＣチップに電子情報内容を記録するようになされる。
【０１２０】
従って、当該個人識別番号ＩＤによりカラー顔画像が形成されたカード部材３０に、この個人識別番号ＩＤと同一性の無い異なった個人識別番号ＩＤに係る文字情報Ｄ２による文字画像形成を無くすことができる。
【０１２１】
しかも、当該顔画像情報Ｄ１及び文字情報Ｄ２に付加された個人識別番号ＩＤと同一性の無い誤った個人識別番号ＩＤに係る電子情報内容ＩＤ＋Ｄ１＋Ｄ２による書込みを阻止できるので、当該個人識別番号ＩＤによりカラー顔画像及び文字画像が形成されたカード部材３０に、この個人識別番号ＩＤと同一性の無い異なった個人識別番号ＩＤ’に係る電子情報内容ＩＤ＋Ｄ１＋Ｄ２によるデータ記録を無くすことができる。
【０１２２】
これにより、本人の顔画像が形成されたカード部材３０に他人の氏名や住所等が印刷される事態を無くすことができる。しかも、本人の顔画像及び文字画像が形成されたカード部材３０に他人の顔画像情報Ｄ１や文字情報Ｄ２等が記録される事態を無くすことができる。第１の実施形態と同様にして高信頼度かつ高画像品質のＩＤカード等を提供することができる。
【０１２３】
（３）実施例
図１９は本発明に係る実施例としての従業者証プリンタ６６を応用した従業者証発行システム５００の構成例を示すブロック図である。
【０１２４】
この実施例では第１又は第２の実施形態に係るカード作成装置を応用した従業者証プリンタ６６を備え、この従業者証プリンタ６６によって従業者証３０を発行する従業者証発行システム５００を構築できるようにしたものである。この従業者証発行システム５００ではパスワードを登録するようになされる。
【０１２５】
図１９に示す従業者証発行システム５００は、例えば各県支社毎に配置され、少なくとも、カード面の記載情報内容を電子情報内容にしてカード内に電気的に記録し、この電子情報内容が記録されたカード部材の一例となる従業者証３０を発行するシステムである。
【０１２６】
カード面の記載情報内容としては氏名、住所、生年月日、個人識別番号ＩＤ、従業者証の発行年月日及び有効期限等である。電子情報内容は個人識別番号ＩＤ、顔画像情報Ｄ１、文字情報Ｄ２、申請書イメージデータＤ３等である。
【０１２７】
この従業者証発行システム５００には従業者証３０を発行制御するためにホストコンピュータ６３が備えられている。ホストコンピュータ６３にはＩＤ情報データベース６４は接続されており、従業者証３０の発行に関して氏名、住所、生年月日、個人識別番号ＩＤ、従業者証の発行年月日及び有効期限等の個人情報を管理するようになされる。
【０１２８】
この個人情報が文字情報Ｄ２となる。ホストコンピュータ６３には通信回線１９が接続されており、各種情報を送受信するようになされる。通信回線１９にはスーパーデジタル回線等が使用される。
【０１２９】
この通信回線１９には端末装置６２が接続されており、従業者証３０の発行時等に個人識別番号ＩＤやパスワード、文字情報Ｄ２などが入力される。通信回線１９には更に撮影装置６１及び従業者証プリンタ６６を接続して使用される。撮影装置６１では更新時や再発行時に発行要求者の顔部位を撮影して顔画像情報Ｄ１を出力するようになされる。撮影装置６１にはカラー用の静止画用デジタルカメラや、動画用ビデオカメラが使用され、赤色、青色、緑色の３色の色信号Ｒ，Ｇ，Ｂや、輝度信号Ｙなどのコンポジット信号を出力されるものが好ましい。
【０１３０】
従業者証プリンタ６６はカード作成装置の一例であり、第１、第２、第３又は第４の実施形態で説明したいずれかのカード作成装置が応用される。例えば、第３又は第４の実施形態に係るカード作成装置を応用した場合は、撮影装置６１から得られた発行要求者の顔画像情報Ｄ１、予め取得された発行要求者の個人識別番号ＩＤ、文字情報Ｄ２及び発行許可に基づいて発行要求者の顔画像情報Ｄ１及び文字情報Ｄ２とを画像形成し、かつ、その発行要求者の顔画像情報Ｄ１、文字情報Ｄ２をＩＣチップ内書き込んだ従業者証３０を作成するようになされる。
【０１３１】
続いて、当該従業者証発行システム５００で使用される発行申請書４０について説明する。図２０は発行申請書４０の構成例を示すイメージ図である。
【０１３２】
図２０に示す発行申請書４０は例えばＡ４サイズの上質紙から成る。その右上端には顔写真貼付領域Ｐ１が設けられ、発行要求者の顔写真を貼付するようになされている。この発行申請書４０内には顔写真貼付領域Ｐ１の他に「従業者証発行申請書」、「住所」、「氏名」、「生年月日」などを記載する欄や、手数料の証紙などを貼付する証紙貼付領域Ｐ２が設けられる。カード表面には個人識別番号ＩＤも記載される場合がある。
【０１３３】
この発行申請書４０は各県毎に異なる場合もあるし、従業者証３０の発行時と更新発行時とで紙の色が異なる場合もある。従って、発行要求者は、所定の色の発行申請書４０に必要事項を記載すると共に、予め準備した顔写真を発行申請書４０に貼るようになる。
【０１３４】
続いて、カード部材の一例となる従業者証３０について説明する。図２１は従業者証３０の構成例を示すイメージ図であり、図２２はその上部の保護シートを除いた従業者証３０の積層構造例を示す斜視図である。
【０１３５】
この従業者証発行システム５００で作成される電子カードとしての従業者証３０は、図２１において、例えば、縦の長さが６ｃｍ程度で、横の長さが９ｃｍ程度で、厚みが０．５〜１．０ｍｍ程度を有している。その従業者証３０の所定領域Ｐ３には画像表示情報が印刷される。画像表示情報は、例えば「○○○従業者証」、「個人識別番号」、「氏名」、「発行日」・・・などである。
【０１３６】
図２１に示す従業者証３０の所定位置には従業者証所有者（発行要求者）の個人識別番号ＩＤが記録される。個人識別番号ＩＤは更新時等において、端末装置６２により手入力又は図示しない申請書スキャナ等によって読み取られ、ホストコンピュータ６３によって個人識別番号ＩＤを認識するようになされる。
【０１３７】
例えば、ホストコンピュータ６３では申請書スキャナによって読み取られた、個人識別番号ＩＤに係るｎ＝１２桁の整列番号「１２３４５６７８９１２３」のうち特定番号「１２３４５６７８９１」を計算してカード面の記載情報内容又は／及びカード内の電子情報内容の正否を判定するようになされる。この例では下２桁の数字「２３」がチェックデジットに割当られ、この下２桁の数字「２３」を除く１０桁の連続する特定番号「１２３４５６７８９１」を、ある計算式で計算してその計算結果がチェックデジット＝「２３」に一致するか否かをチェックするようになされる。このチェックによって、個人識別番号ＩＤの正否を判定することができる。
【０１３８】
図２２に示した従業者証３０では所定領域Ｐ３の他に顔画像形成領域Ｐ４が割り当てられ、当該従業者証３０の発行要求者の顔画像が形成される。この顔画像及び画像表示情報を保護するように、そのカード表面が保護シート５１によって覆われている。つまり、図２２に示す従業者証３０は上層の保護シート５１及び中層の接着部材２２Ａ、２２Ｂを除いて大きく分けると裏面シート２１と、電子部品２４と、表面シート２５の３層構造を有している。従業者証３０の最下層には基板用の部材としての厚さが１００μｍ程度の裏面シート２１が設けられる。裏面シート２１は５０μｍ〜３００μｍ程度のシート厚が好ましい。裏面シート２１にはペンで書ける、図示しない筆記層を更に有している。
【０１３９】
この例で裏面シート２１上にはカード用の電子部品２４が設けられる。電子部品２４は当該従業者証３０の利用者に関した個人識別番号ＩＤや、顔画像情報Ｄ１、文字情報Ｄ２などを電気的に記録するＩＣチップ２４Ａ及びそのＩＣチップ２４Ａに接続されたコイル状のアンテナ体２４Ｂである。
【０１４０】
この電子部品２４上には表面用の部材としての厚さ１００μｍ程度の表面シート２５が設けられ、その電子部品２４が封入されている。この例では、少なくとも、裏面シート２１と表面シート２５と電子部品２４とを薄シート状の接着部材（以下単に接着シートという）２２Ａ、２２Ｂを介在して貼り合せた積層構造を有している。
【０１４１】
例えば、厚み５０μｍ〜３００μｍ程度の第１の接着シート２２ＡによってＩＣチップ２４Ａの裏面と裏面シート２１との間が貼合され、ＩＣチップ２４Ａの表面と表面シート２５の間は、厚み５０μｍ〜３００μｍ程度の第２の接着シート２２Ｂによって貼合されている。これらの接着シート２２Ａ、２２Ｂにはホットメルト樹脂又は反応型ホットメルト樹脂を予め薄シート状に形成したものが使用される。この表面シート２５上には透明な保護シート５１が設けられ、顔画像が形成された後に表面シート２５上を覆うように保護される。
【０１４２】
図２３はＩＣチップ２４Ａの内部構成例を示すブロック図である。この電子カードとしての従業者証３０は非接触式であるため、情報入出力用の端子が設けられていない。図２２に示すＩＣチップ２４ＡはＲＯＭ２３、送受信部２６、ＲＡＭ２７、不揮発メモリ２８、電源生成部２９、ＣＰＵ３８及びクロック生成部３９を有している。
【０１４３】
上述したアンテナ体２４Ｂには送受信部２６が接続され、情報書き込み時に所定の変調電波に変調された電子情報内容ＩＤ＋Ｄ１＋Ｄ２が受信される。情報読み出し時には、電子情報内容ＩＤ＋Ｄ１＋Ｄ２が所定の変調信号に変調されてアンテナ体２４Ｂへ送出される。
【０１４４】
この送受信部２６にはＲＯＭ２３及びＲＡＭ２７が接続され、ＲＯＭ２３には情報書込み読出し手順などの制御プログラムデータが記述されている。ＲＡＭ２７には送受信部２６で復調された個人識別番号ＩＤ、顔画像情報Ｄ１及び文字情報Ｄ２が一時記憶される。送受信部２６には不揮発メモリ２８が接続され、ＲＯＭ２３から読み出した制御プログラムデータに基づいてＣＰＵ３８により個人識別番号ＩＤ、顔画像情報Ｄ１及び文字情報Ｄ２が記録される。
【０１４５】
この不揮発メモリ２８には電気的な情報の消去及び書き込みが可能なメモリ（ＥＥＰＲＯＭ）などが使用される。従って、電源を切っても、個人識別番号ＩＤ、顔画像情報Ｄ１及び文字情報Ｄ２が不揮発メモリ２８に記録保持される。
【０１４６】
上述のＲＯＭ２３、送受信部２６、ＲＡＭ２７及び不揮発メモリ２８にはＣＰＵ３８が接続され、情報書込み読出し時に、送受信部２６、ＲＡＭ２７及び不揮発メモリ２８の入出力が制御される。例えば、情報読み出し時には、不揮発メモリ２８から読み出した、顔画像情報Ｄ１、文字情報Ｄ２及び個人識別番号ＩＤが送受信部２６に出力される。情報書き込み時には、送受信部２６から得られたこれらの電子情報内容Ｄ１＋Ｄ２＋ＩＤが不揮発メモリ２８に記録される。
【０１４７】
このＣＰＵ３８にはクロック生成部３９が接続され、情報の書込み読出し動作を実行するためのシステムクロックが供給される。上述のＲＯＭ２３、送受信部２６、ＲＡＭ２７、不揮発メモリ２８、ＣＰＵ３８及びクロック生成部３９には電源生成部２９が接続され、通常の非接触式のＩＣカードで使用される方法で、その外部からの電磁気エネルギーをアンテナ体２４Ｂによって取り込み、この電磁気エネルギーに基づいて生成した直流電源ＶＣＣが供給される。
【０１４８】
例えば、カードリードライト装置１４側からの電磁誘導によって生じる起電力Ｖφを整流することにより直流電源ＶＣＣを得る。もちろん、この他に外部からの高周波電磁エネルギーによる電力をアンテナ体２４Ｂ又はその他の物体に取り込むことにより電源を生成する方法も考えられる。なお、ＣＰＵ３８を持たずにその部分のＣＰＵの内容を制御ロジック回路で構成してもよい。
【０１４９】
続いて、従業者証発行システム５００で使用する従業者証プリンタ６６について説明する。図２４は従業者証プリンタ６６の構成例を示す概念図である。この例では従業者証用のカード部材３０に顔画像及び文字情報を記録した後に、枚葉状の保護シート５１を形成する場合について説明する。
【０１５０】
図２４に示す従業者証プリンタ６６は所定形状で所定の大きさを有した筐体６０を備えている。筐体６０の内部右側にはカードマガジン１１’が設けられ、例えば３種類の従業者証用のカード部材３０を収納するようにして使用される。各々のカード部材３０は予め枚葉状にカットされており、顔画像形成領域面を上に向けてストックされている。
【０１５１】
もちろん、カード部材３０には電子部品２４が内蔵されている。第１種類のカード部材３０はホッパーＨＰ１に収納されており、第２種類のカード部材３０はホッパーＨＰ２に収納されており、第３種類のカード部材３０はホッパーＨＰ３に収納されている。発行要求者の従業者証発行条件によってカード部材３０を変えるためである。
【０１５２】
ホッパーＨＰ１〜ＨＰ３の下方には図示しない搬送ベルト装置が設けられ、ホッパーＨＰ１、ＨＰ２又はＨＰ３から排出・投下されたカード部材３０をプリント部６７の方へ搬送するようになされる。プリント部６７の下部には搬送ベルト装置１２が設けられ、プリント部６７を構成するＹ色画像形成ユニット１５、Ｍ色画像形成ユニット１６、Ｃ色画像形成ユニット１７、Ｐ色画像形成ユニット３１及び、Ｋ色画像形成ユニット１８にカード部材３０を搬送するようになされる。
【０１５３】
搬送ベルト装置１２上のカード部材３０は右側から左側に搬送される間に、Ｙ色画像形成ユニット１５、Ｍ色画像形成ユニット１６及びＣ色画像形成ユニット１７によってカード部材３０の顔画像形成領域Ｐ４に発行要求者２０の顔画像が形成され、Ｐ色画像形成ユニット３１及びＫ色画像形成ユニット１８によってカード部材３０の所定領域Ｐ３に発行要求者２０の氏名や、従業者証発行日などが記録される。
【０１５４】
この搬送ベルト装置１２の下流側にはカードリードライト装置１４が設けられ、発行要求者２０の顔画像情報Ｄ１、文字情報Ｄ２及び個人識別番号ＩＤが従業者証内のＩＣチップ２４Ａに書き込まれる。カードリードライト装置１４の下方にはカード落下部４６が設けられ、情報記録済みのカード部材３０の顔画像形成領域面を上に向けて落下するように姿勢が制御され、そのカード部材３０が下方のホットスタンパーＨＳ１に導かれる。
【０１５５】
このカード落下部４６の途中には廃棄カードストッカー５６が設けられ、画像形成不良に係るカード部材３０を排出するようになされる。ホットスタンパーＨＳ１ではカード部材３０にフィルム状の保護シート５１が供給されてカード券面を保護される。この例で保護シート５１にはラミネートフィルムをロール状に巻き取ったものが備えられ、そのラミネートフィルムは一方の面に図示しない接着シートを有している。もちろん、保護シート５１にはラミネートフィルムを枚葉状に積層したものを使用してもよい。
【０１５６】
また、保護シート５１はラミネートフィルムに限定されることはなく、ホットスタンプフィルムをロール状に巻き取ったもの、又は、ホットスタンプフィルムをカットシート状に積層されたものも使用できる。ホットスタンパーＨＳ１には真空熱プレス装置５２が設けられ、カード落下部４６からのカード部材３０とホットスタンパーＨＳ１からの保護シート５１とを受け、そのカード部材３０とその保護シート５１とが図示しない接着シートを介して張り合わされる。この際に、接着シート上の紙シートは剥離され、カス紙として巻き取られる。
【０１５７】
この真空熱プレス装置５２は搬送路上に配置された平型のプレス部を有しており、保護シート５１の上方から所定の圧力が加えられる。そのために、プレス部が上下方向に移動できるようになされている。このプレス部には電気ヒータ（図示せず）が設けられ、保護シート５１及びカード部材３０を所定の温度に加熱するようになされている。
【０１５８】
この例では接着シートの種類にもよるが加熱温度は４０℃〜１２０℃程度であり、加熱時間は１０秒〜１２０秒程度である。この接着シートは熱を加えると溶融し、それが冷えると固化するものである。保護シート５１を加熱貼合する装置は真空熱プレス装置５２に限られることはなく、通常の熱プレスでも、ヒートローラ装置であってもよい。
【０１５９】
また、真空熱プレス装置５２の下流側には冷却部５３が設けられ、加熱貼合されたカード部材３０が冷却される。冷却部５３にはメインフィルタ５４が取り付けられており、このメインフィルタ５４によって冷却空気を清浄化するようになされる。
【０１６０】
このホットスタンパーは１機に限られることはなく、図２４の波線に示すようにホットスタンパーＨＳ１の後段にホットスタンパーＨＳ２を設け、カード部材３０にホログラムシート等を形成するようにしてもよい。これにより完成した顔画像及び文字画像入り、情報記録済み、保護シート付きの従業者証３０はカードストッカー５７に収納される。
【０１６１】
また、筐体６０には操作パネル５９が設けられ、例えば、発行要求者のパスワードを入力するようになされる。このパスワードは記号やローマ字等をそのまま使用したり、また、これらを組み合わせて使用される。パスワードを情報読出し時の「鍵」として使用するためである。これは発行要求者本人がカード部材３０のＩＣチップ２４Ａに記録されたデータを他人に読まれたくない場合に対処するようにしたためである。この場合にＩＣチップ２４Ａにパスワードを比較基準値として記録しておく必要があるからである。もちろん、操作パネル５９ではカード部材３０の画像形成時に操作情報も入力される。
【０１６２】
この筐体６０内にはカードマガジン１１’、プリント部６７、カードリードライト装置１４、廃棄カードストッカー５６、ホットスタンパーＨＳ１、カードストッカー５７の他に、電源部５８、ＭＰＵラック６８及びブレーカー６９が設けられている。電源部５８ではＭＰＵラック６８やブレーカー６９等に接続されており、プリント部６７、カードリードライト装置１４、ホットスタンパーＨＳ１及びＭＰＵラック６８等に電源を供給するようになされる。
【０１６３】
図２５は従業者証プリンタ６６の制御系の構成例を示すブロック図である。図２５に示す従業者証プリンタ６６にはメインコントローラ５０５が設けられており、このメインコントローラ５０５にはカードホッパー部メカ用の制御基板１０１がＲＳ２３２Ｃ通信ケーブルにより接続されている。制御基板１０１にはカードホッパーメカユニット１０２が接続されており、ホッパーＨＰ１、ＨＰ２又はＨＰ３から搬送ベルト装置へカード部材３０を排出・投下するようになされる。
【０１６４】
このメインコントローラ５０５にはＳＣＳＩ−２ケーブルによって、Ｙプリント部メカ／ヘッド用の制御基板５０１、Ｍプリント部メカ／ヘッド用の制御基板６０１、Ｃプリント部メカ／ヘッド用の制御基板７０１、Ｐプリント部メカ／ヘッド用の制御基板３０１、Ｋプリント部メカ／ヘッド用の制御基板８０１がデジーチェーン接続されている。
【０１６５】
制御基板５０１にはＹ色画像形成ユニットを構成するドライバ基板５０２及びＹプリントメカユニット５０４が接続され、カード部材３０にＹ色画像を形成するようになされる。ドライバ基板５０２には６画面分のバッファメモリ＃１〜＃６が設けられると共に顔画像情報Ｄ１（Ｙ）を格納するようになされる。ドライバ基板５０２にはＤＣ／ＤＣ基板５０３が接続されており、所望の直流電圧をドライバ基板５０２に供給するようになされる。
【０１６６】
また、制御基板６０１にはＭ色画像形成ユニットを構成するドライバ基板６０２及びＭプリントメカユニット６０４が接続され、カード部材３０にＭ色画像を形成するようになされる。ドライバ基板６０２には６画面分のバッファメモリ＃１〜＃６が設けられると共に顔画像情報Ｄ１（Ｍ）を格納するようになされる。ドライバ基板６０２にはＤＣ／ＤＣ基板６０３が接続されており、所望の直流電圧をドライバ基板６０２に供給するようになされる。
【０１６７】
更に、制御基板７０１にはＣ色画像形成ユニットを構成するドライバ基板７０２及びＣプリントメカユニット７０４が接続され、カード部材３０にＣ色画像を形成するようになされる。ドライバ基板７０２には６画面分のバッファメモリ＃１〜＃６が設けられると共に顔画像情報Ｄ１（Ｃ）を格納するようになされる。ドライバ基板７０２にはＤＣ／ＤＣ基板７０３が接続されており、所望の直流電圧をドライバ基板７０２に供給するようになされる。
【０１６８】
また、制御基板３０１にはＰ色画像形成ユニットを構成するドライバ基板３０２及びＰプリントメカユニット３０４が接続され、カード部材３０にフォト色画像を形成するようになされる。フォト色画像形成は、カラー画像形成されたカード部材３０の後処理であり、また、カラー画像形成されたカード部材３０に文字画像を形成するための前処理でもある。ドライバ基板３０２には６画面分のバッファメモリ＃１〜＃６が設けられると共に顔画像情報Ｄ１（Ｐ）を格納するようになされる。ドライバ基板３０２にはＤＣ／ＤＣ基板３０３が接続されており、所望の直流電圧をドライバ基板３０２に供給するようになされる。
【０１６９】
更に制御基板８０１にはＫ色画像形成ユニットを構成するドライバ基板８０２及びＫプリントメカユニット８０４が接続され、カード部材３０に黒色の文字画像を形成するようになされる。ドライバ基板８０２には６画面分のバッファメモリ＃１〜＃６が設けられると共に顔画像情報Ｄ１（Ｋ）を格納するようになされる。ドライバ基板８０２にはＤＣ／ＤＣ基板８０３が接続されており、所望の直流電圧をドライバ基板８０２に供給するようになされる。
【０１７０】
また、メインコントローラ５０５にはＲＳ２３２Ｃ通信ケーブルを介してＩＣカードＲ／Ｗ用の制御基板３０５が接続されており、この制御基板３０５にはＩＣカード制御装置３５等が取り付けられる。制御基板３０５にはカードリードライト装置（ＩＣカードＲ／Ｗユニット）１４や、カード落下部メカユニット４０１が接続されている。
【０１７１】
カードリードライト装置１４では顔画像及び文字画像形成済みのカード部材３０内のＩＣチップ２４Ａに電子情報内容ＩＤ＋Ｄ１＋Ｄ２を記録するようになされる。カード落下部メカユニット４０１はカード落下部４６を構成するものであり、情報記録済みのカード部材３０の顔画像形成領域面を上に向けて落下するように姿勢が制御され、そのカード部材３０が下方のホットスタンパーＨＳ１に導かれる。
【０１７２】
このホットスタンパーＨＳ１はＲＳ２３２Ｃ通信ケーブルを介してメインコントローラ５０５に接続されており、カード部材３０にフィルム状の保護シート５１を供給してカード券面を保護するようになされる。更に、メインコントローラ５０５にはＲＳ２３２Ｃ通信ケーブルを介してオペレーションパネル用の基板５０９が接続されており、この基板３０９には操作パネル５９が取り付けられ、発行要求者のパスワードを入力したり、カード部材３０の画像形成時に操作情報が入力される。
【０１７３】
続いて、従業者証発行システム５００における処理例について説明をする。図２６は従業者証発行システム５００における処理例を示すフローチャートである。
【０１７４】
この実施例では当該従業者証発行システム５００を設置した都道府県の支社に従業者証３０の初回発行を受ける者（発行要求者）が出向する。そして、従業者証（カード部材）３０のＩＣチップ２４Ａに個人識別番号ＩＤ、顔画像情報Ｄ１及び文字情報Ｄ２に加えてパスワードを記録する場合を前提とする。
【０１７５】
この従業者証発行システム５００には例えば第２の実施形態で説明したカード作成装置の一例となる従業者証プリンタ６６が設けられ、この従業者証発行システム５００では顔画像及び文字画像入り、パスワードを含む情報記録済み、保護シート付きの従業者証３０を発行するようになされる。
【０１７６】
これを前提にして、図２６に示すフローチャートのステップＣ１で支社では端末装置６２を使用して発行要求者の個人識別番号ＩＤ、住所・氏名等の個人情報（文字情報）Ｄ２に加えてパスワードが入力される。
【０１７７】
その後、ステップＣ２で個人識別番号ＩＤ＋個人情報（文字情報）Ｄ２＋パスワードが、ホストコンピュータ６３を通してＩＤ情報データベース６４に登録される。更新時等にパスワードを使用するためであり、個人情報Ｄ２の不正読出しを防止するためである。
【０１７８】
そして、発行要求者は撮影室等に移動し、ステップＣ３で担当官は撮影装置６１の情報入力機能を使用して個人識別番号ＩＤを入力する。この撮影装置６１からホストコンピュータ６３を通してＩＤ情報データベース６４がアクセスされる。このアクセスによってＩＤ情報データベース６４からホストコンピュータ６３を通して撮影装置６１に、個人識別番号ＩＤ＋個人情報Ｄ２＋パスワードを入力するようになされる。そして、ステップＣ４で撮影装置６１により発行要求者の顔部位を撮影して顔画像情報Ｄ１が取得される。
【０１７９】
ここで取得された個人識別番号ＩＤ＋顔画像情報Ｄ１＋個人情報Ｄ２＋パスワードはステップＣ５で撮影装置６１から従業者証プリンタ６６へ転送される。個人識別番号ＩＤ＋顔画像情報Ｄ１＋個人情報Ｄ２＋パスワードはメインコントローラ５０５に入力される。
【０１８０】
従業者証プリンタ６６ではステップＣ６で顔画像及び文字画像入り、パスワードを含む情報記録済み、保護シート付きの従業者証３０を形成するようになされる。例えば、カードホッパーメカユニット１０２によってカード部材３０が搬送ベルト装置上に排出される。そして、Ｙプリントメカユニット５０４、Ｍプリントメカユニット６０４、Ｃプリントメカユニット７０４によってカード券面に顔画像が形成され、その後、Ｐプリントメカユニット３０４によって後処理がなされる。その後、Ｋプリントメカユニット８０４によってカード券面に文字画像が形成される。
【０１８１】
そして、顔画像と個人情報をプリントされたカード部材３０のＩＣチップ２４Ａに個人識別番号ＩＤ＋顔画像情報Ｄ１＋個人情報Ｄ２に加えてパスワードがカードリードライト装置１４によって記録される。その後、カード落下部メカユニット４０１によって情報記録済みのカード部材３０が、その顔画像形成領域面を上に向けて落下するように姿勢が制御され、下方のホットスタンパーＨＳ１に導かれる。
【０１８２】
このホットスタンパーＨＳ１ではカード部材３０にフィルム状の保護シート５１を供給してカード券面を保護するようになされる。その後、顔画像及び文字画像入り、パスワードを含む情報記録済み、保護シート付きの従業者証３０がカードストッカー５７に収納される。
【０１８３】
そして、ステップＣ７で担当官によって従業者証３０の作成を全部終了したかがチェックされる。従業者証３０の作成を全部終了した場合は処理を終了する。従業者証３０の作成を全部終了していない場合はステップＣ１に戻って上述した処理を継続する。
【０１８４】
このように、本発明に係る実施例としての従業者証発行システム５００によれば、カード作成装置の一例となる従業者証プリンタ６６が設けられ、この従業者証発行システム５００では顔画像及び文字画像入り、パスワードを含む情報記録済み、保護シート付きの従業者証３０を発行するようになされる。
【０１８５】
従って、パスワードが一致しない場合は、従業者証３０から個人識別番号ＩＤや、顔画像情報Ｄ１、個人情報Ｄ２等を読み出せなくなるので、個人識別番号ＩＤ、個人情報Ｄ２の不正読出しを原因とする偽造従業者証の作成を防止できる。
【０１８６】
なお、ＩＣチップ内に書き込んだ情報は２度と書き換えたくない場合がある。この場合には書き換え禁止符号をパスワードと同時にＩＣチップ２４Ａに記録するようにしてもよい。更新時あるいは再発行時には、旧従業者証３０に代わって新たな従業者証が発行されるためである。
【０１８７】
（４）他の実施例
図２７は本発明に係る他の実施例としてのパスワードの記録例が適用されるカード作成装置４００のブロック図である。この例ではカード作成装置３００又は４００においてパスワードを入力するようにしたものである。図１９に示したようなＩＤ情報データベース６４には登録されないものである。
【０１８８】
例えば、図２７に示すオフラインシステムのカード作成装置４００では制御装置６５にパスワード入力手段８５が接続されており、デフォルト又は本人しか知らない正規のパスワードを入力するように操作される。この例では、カード券面に顔画像と文字画像をプリントした後に、ＩＣチップ２４Ａ内に顔画像情報Ｄ１＋個人識別番号ＩＤに加えてデフォルトパスワードを記録するようになされる。
【０１８９】
このデフォルトパスワードが記録されたカード部材３０は、そのままカードリードライト装置１４に通せば、その内容が自由に読み出すことができる。つまり、デフォルトパスワードのままの従業者証３０は誰でもカードリードライト装置１４を使用して内容を確認することができる。
【０１９０】
他人にＩＣチップ２４Ａ内の電子情報内容を読まれたくない場合は、図２７に示すオフラインシステムにより発行要求者本人しか知らないパスワードを入力し、ＩＣチップ２４Ａ内のデフォルトパスワードを正規のパスワードに書き換えるようになされる。以後は、パスワードが一致しない限り、従業者証３０から個人識別番号ＩＤや、顔画像情報Ｄ１、個人情報Ｄ２等を読み出せなくなる。
【０１９１】
従って、個人識別番号ＩＤ、個人情報Ｄ２の不正読出しを原因とする偽造従業者証の作成を防止できる。この例でも、書き換え禁止符号をパスワードと同時にＩＣチップ２４Ａに記録するようにしてもよい。
【産業上の利用可能性】
【０１９２】
この発明は、顔画像の入った、キャッシュカード、会員証、社員証、従業者証、学生証、外国人登録証及び各種運転免許証などのＩＤカードの自動発行システムに適用して極めて好適である。
【符号の説明】
【０１９３】
１１  ホッパー（カード供給搬送手段）
１２  搬送ベルト装置（カード供給搬送手段）
１３  カラー用の画像形成ユニット
１４  カードリードライト装置（記録再生装置）
１５  Ｙ色画像形成ユニット（カラー用の画像形成ユニット）
１６  Ｍ色画像形成ユニット（カラー用の画像形成ユニット）
１７  Ｃ色画像形成ユニット（カラー用の画像形成ユニット）
１８  Ｋ色画像形成ユニット（白黒用の画像形成ユニット）
２４  電子部品
２４Ａ  ＩＣチップ
２４Ｂ  アンテナ体
３０  従業者証（カード部材）
４０  発行申請書
５５  制御手段
６１  撮影装置
６５  制御装置
９０  管理装置
１００，２００  カード作成装置
５００  従業者証発行システム
【図１】
2011255675.tif 000003
【図２】
2011255675.tif 000004
【図３】
2011255675.tif 000005
【図４】
2011255675.tif 000006
【図５】
2011255675.tif 000007
【図６】
2011255675.tif 000008
【図７】
2011255675.tif 000009
【図８】
2011255675.tif 000010
【図９】
2011255675.tif 000011
【図１０】
2011255675.tif 000012
【図１１】
2011255675.tif 000013
【図１２】
2011255675.tif 000014
【図１３】
2011255675.tif 000015
【図１４】
2011255675.tif 000016
【図１５】
2011255675.tif 000017
【図１６】
2011255675.tif 000018
【図１７】
2011255675.tif 000019
【図１８】
2011255675.tif 000020
【図１９】
2011255675.tif 000021
【図２０】
2011255675.tif 000022
【図２１】
2011255675.tif 000023
【図２２】
2011255675.tif 000024
【図２３】
2011255675.tif 000025
【図２４】
2011255675.tif 000026
【図２５】
2011255675.tif 000027
【図２６】
2011255675.tif 000028
【図２７】
2011255675.tif 000029
【図２８】
2011255675.tif 000030
【図２９】
2011255675.tif 000031
【図３０】
2011255675.tif 000032
【図３１】
2011255675.tif 000033